(57)【要約】【課題】  ディスク挿脱口から挿入された光ディスクを回動部材の当接部に適切に導き、安定したローディング操作、イジェクト操作を実現する。【解決手段】  第４の回動アーム４９の先端部近傍に位置して、ディスク挿脱口１９から挿入された小径ディスク２Ｂを第４の回動アーム４９の第４の当接部材５０と当接可能な高さに規制しながら、筐体３の内部へと案内するガイド部材１１９を有し、ベース２７がチャッキング解除位置にあるとき、ガイド部材１１９をディスク挿脱口１９から挿入された小径ディスク２Ｂを高さ方向に規制するガイド位置まで上昇させ、ベース２２が中間位置にあるとき、ガイド部材１１９をターンテーブル２３ａに装着された小径ディスク２Ｂから離間する退避位置まで下降させる。【選択図】  図７１
2006018993.tif 000002
【特許請求の範囲】
【請求項１】
前面に光ディスクが挿脱されるディスク挿脱口が設けられた筐体と、
上記ディスク挿脱口から上記筐体の内部に挿入された上記光ディスクが装着されるディスク装着部と、上記ディスク装着部に装着された上記光ディスクを回転駆動するディスク回転駆動機構と、上記ディスク回転駆動機構により回転駆動される光ディスクに対して情報信号の信号の記録又は再生を光ピックアップと、上記光ピックアップを上記光ディスクの半径方向に送り動作するピックアップ送り機構とを有し、これらがベースに一体に設けられたベースユニットと、
上記ディスク挿脱口から挿入された光ディスクの外周部に当接される当接部が先端部に設けられ、基端部が回動可能に支持されることによって、上記光ディスクと平行な面内で回動可能とされた複数の回動部材を有し、これら複数の回動部材が互いに協働しながら、上記ディスク挿脱口から上記光ディスクが挿脱されるディスク挿脱位置と、上記ディスク装着部に上記光ディスクが装着されるディスク装着位置との間で、上記光ディスクの搬送を行うディスク搬送機構と、
上記ベースを上昇させて上記光ディスクを上記ディスク装着部に装着するチャッキング位置と、上記ベースを下降させて上記ディスク装着部から上記光ディスクを離脱するチャッキング解除位置と、上記ベースを上記チャッキング位置と上記チャッキング解除位置との間に位置させて上記光ディスクに対する情報信号の記録又は再生を行う中間位置との間で上記ベースを昇降操作するベース昇降機構と、
上記回動部材の先端部近傍に位置して、上記ディスク挿脱口から挿入された光ディスクを上記回動部材の当接部と当接可能な高さに規制しながら、上記筐体の内部へと案内するガイド部材を有し、上記ベース昇降機構による上記ベースの昇降動作に連動しながら、上記ガイド部材を昇降操作するディスクガイド機構とを備えるディスクドライブ装置。
【請求項２】
上記ディスクガイド機構は、上記ベースが上記チャッキング解除位置にあるとき、上記ガイド部材を上記ディスク挿脱口から挿入された上記光ディスクを高さ方向に規制するガイド位置まで上昇させ、上記ベースが上記中間位置にあるとき、上記ガイド部材を上記ディスク装着部に装着された上記光ディスクから離間する退避位置まで下降させることを特徴とする請求項１記載のディスクドライブ装置。
【請求項３】
上記ガイド部材は、上記光ディスクを上記ディスク挿脱口から上記筐体の外部へと排出するとき、又は上記ディスク挿脱口から上記筐体の内部へと回動部材によって上記光ディスクが案内されるときに、上記回動部材を高さ方向に規制しながら背面側から前面側、又は前面側から背面側へと案内するアームガイド部を有することを特徴とする請求項１記載のディスクドライブ装置。
【発明の詳細な説明】
【技術分野】
【０００１】
本発明は、光ディスクに対して情報信号の記録及び／又は再生を行うディスクドライブ装置に関し、特に、スロットイン方式を採用したディスクドライブ装置に関する。
【背景技術】
【０００２】
従来、情報信号の記録媒体として、ＣＤ(Compact Disc)やＤＶＤ(Digital Versatile Disc)といった光ディスクや、ＭＯ(Magneto optical)型の光磁気ディスク、更に、ＭＤ(Mini Disc)と称する光磁気ディスクが用いられて、この種のディスク若しくはこれらディスクを収納したディスクカートリッジを記録媒体として用いるディスクドライブ装置が提供されている。
【０００３】
光ディスクを記録媒体に用いるディスクドライブ装置には、筐体に設けられた蓋や扉を開放し、そこから臨むターンテーブルにディスクを直接装着するタイプ、筐体に対し水平方向に出し入れされるディスクトレイにディスクを載置し、このディスクトレイを筐体内に引き込むことで筐体の内部に設けられたターンテーブルに自動的に装着されるタイプ、又はこのディスクトレイに設けられたターンテーブルにディスクを直接装着するタイプがある。これらいずれのディスクドライブ装置においても、蓋や扉を開閉し、ディスクトレイを出し入れし、又はターンテーブルにディスクを装着するといった操作が必要である。
【０００４】
これに対して、筐体の前面に設けられたディスク挿脱口からディスクを挿入するだけで自動的にターンテーブルへの装着を可能とするスロットイン方式のローディング機構を用いたディスクドライブ装置がある。このディスクドライブ装置は、ディスク挿脱口からディスクが挿入されると、このディスクを挟み込み筐体に内部に引き込み操作する一対のガイドローラを備えている。そして、ディスクがディスク挿入口から挿入されると、一対のガイドローラが互いに逆向きに回転することによって筐体内部に引き込むローディング操作を実行し、イジェクト操作が行われると、ローディング操作時とは逆方向に一対のガイドローラを回転し、筐体に外部にディスクを排出する。
【０００５】
ところで、ディスクドライブ装置が搭載される、例えば携帯型のパーソナルコンピュータ等のモバイル機器では、小型化及び軽量化とともに更なる薄型化が求められており、この種のモバイル機器に搭載されるディスクドライブ装置の更なる小型化、軽量化、薄型化が要求されている。また、携帯可能とされたパーソナルコンピュータにおいて広く用いられているトレイ型のディスクドライブ装置に代わって、操作感のよいスロットイン方式のローディング機構を用いたディスクドライブ装置の需要が高まっている。
【０００６】
スロットイン方式のローディング機構を用いたディスクドライブ装置は、上述したようにディスクをローディングするため、ディスクを挟み込み送り操作する一対のガイドローラが必要であり、これらガイドローラは、その構造上、送り操作するディスクの直径よりも長尺になることから、装置全体の幅方向の寸法が長くなる。また、一対のガイドローラの間にディスクを挟み込むことから、厚み方向の寸法も大きく長くなる。このため、従来のスロットイン型のディスクドライブ装置は、小型化や薄型化が困難である。
【０００７】
特に、携帯可能な大きさとされたノート型のパーソナルコンピュータ等小型のモバイル機器に搭載される薄型のディスクドライブ装置は、厚さを１２．７ｍｍとしたものが標準サイズとされており、更にハードディスクドライブ（ＨＤＤ）ユニットと同等の厚さである９．５ｍｍまで薄型化されたものが用いられている。このような厚さにまで薄型化されたディスクドライブ装置において、一対にガイドローラを用いたスロットイン方式のローディング機構を採用することは構造上極めて困難である。
【０００８】
そこで、スロットイン方式のローディング機構を採用するディスクドライブ装置では、小型化や薄型化の要求に応えるため、ディスク挿脱口から挿入されたディスクと、このディスクが装着されるターンテーブルが取り付けられたベースとの間に複数の回動アームを配置し、これら回動アームを挿入されたディスクと平行な面内で回動させながら、ディスクをディスク挿脱口から筐体の内部へと引き込むローディング動作と、ディスクをディスク挿脱口から筐体の外部へと排出するイジェクト動作とを行うものが提案されている（特許文献１を参照。）。
【０００９】
このように薄型化が実現されたスロットイン方式を採用したディスクドライブ装置では、筐体に設けたディスク挿脱口からディスクを挿入した際、ディスク挿脱口から挿入されたディスクを上述した回動アームの当接部へと適切に導くことができないことがあった。
【００１０】
【特許文献１】特開２００２−１１７６０４号公報
【発明の開示】
【発明が解決しようとする課題】
【００１１】
そこで、本発明は、このような従来の事情に鑑みて提案されたものであり、ディスク挿脱口から挿入された光ディスクを回動部材の当接部に適切に導き、確実なローディング操作、さらにはイジェクト操作を実現できるスロットイン方式を採用したディスクドライブ装置を提供することを目的とする。
【課題を解決するための手段】
【００１２】
この目的を達成するために、本発明に係るディスクドライブ装置は、前面に光ディスクが挿脱されるディスク挿脱口が設けられた筐体と、ディスク挿脱口から筐体の内部に挿入された光ディスクが装着されるディスク装着部と、ディスク装着部に装着された光ディスクを回転駆動するディスク回転駆動機構と、ディスク回転駆動機構により回転駆動される光ディスクに対して情報信号の信号の記録又は再生を光ピックアップと、光ピックアップを光ディスクの半径方向に送り動作するピックアップ送り機構とを有し、これらがベースに一体に設けられたベースユニットと、ディスク挿脱口から挿入された光ディスクの外周部に当接される当接部が先端部に設けられ、基端部が回動可能に支持されることによって、光ディスクと平行な面内で回動可能とされた複数の回動部材を有し、これら複数の回動部材が互いに協働しながら、ディスク挿脱口から光ディスクが挿脱されるディスク挿脱位置と、ディスク装着部に光ディスクが装着されるディスク装着位置との間で、光ディスクの搬送を行うディスク搬送機構と、ベースを上昇させて光ディスクをディスク装着部に装着するチャッキング位置と、ベースを下降させてディスク装着部から光ディスクを離脱するチャッキング解除位置と、ベースをチャッキング位置とチャッキング解除位置との間に位置させて光ディスクに対する情報信号の記録又は再生を行う中間位置との間でベースを昇降操作するベース昇降機構と、回動部材の先端部近傍に位置して、ディスク挿脱口から挿入された光ディスクを回動部材の当接部と当接可能な高さに規制しながら、筐体の内部へと案内するガイド部材を有し、ベース昇降機構によるベースの昇降動作に連動しながら、ガイド部材を昇降操作するディスクガイド機構とを備える。
【発明の効果】
【００１３】
本発明に係るディスクドライブ装置は、ベース昇降機構によるベースの昇降動作に連動しながら、ディスクガイド機構がガイド部材を昇降操作することから、ベースが光ディスクのチャッキング解除位置にあるとき、ガイド部材をディスク挿脱口から挿入された光ディスクを高さ方向に規制するガイド位置まで上昇させ、ベースが中間位置にあるとき、ガイド部材をディスク装着部に装着された光ディスクから離間する退避位置まで下降させることができる。
【００１４】
したがって、本発明に係るディスクドライブ装置では、筐体のディスク挿脱口から光ディスクを挿入した際に、回動部材の先端部近傍に位置するガイド部材がディスク挿脱口から挿入された光ディスクを回動部材の当接部と当接可能な高さに規制しながら、筐体の内部へと案内することによって、その後のディスク搬送機構による光ディスクの搬送動作を適切に行うことが可能である。
【発明を実施するための最良の形態】
【００１５】
以下、本発明を適用したディスクドライブ装置の実施の形態を図面を参照しながら詳細に説明する。
【００１６】
本発明を適用したディスクドライブ装置は、図１に示すように、携帯可能な大きさにまで小型化されたノート型のパーソナルコンピュータ１０００の装置本体１００１に搭載されたディスクドライブ装置１であって、スロットイン方式のローディング機構を用いたディスクドライブ装置である。このディスクドライブ装置１は、薄型化を図ったものであって、図２に示すように、装置全体の厚さＤ１を１２．７ｍｍとし、ＣＤ(Compact Disc)やＤＶＤ(Digital Versatile Disc)といった光ディスク２を記録媒体に用い、この光ディスク２に対して情報信号の記録を行い、光ディスク２に記録された情報信号の再生を行う記録再生機構を内蔵している。
【００１７】
このディスクドライブ装置１は、直径を１２ｃｍとする標準サイズの光ディスクと、この大径の光ディスクよりも小径な直径を８ｃｍとするディスクを装着可能としている。
【００１８】
まず、このディスクドライブ装置１の具体的な構成を説明する。
【００１９】
このディスクドライブ装置１は、図２に示すように、装置本体を構成する筐体３を備える。この筐体３は、下部筐体である偏平な筐体状のボトムケース４と、このボトムケース４の上部開口部を覆う天板であるトップカバー５とから構成されている。
【００２０】
トップカバー５は、図２及び図３に示すように、薄い板金からなり、ボトムケース４の上部開口部を閉塞する天板部５ａと、この天板部５ａの相対向する両側に折り曲げ形成された一対の側板部５ｂ，５ｂとを有している。天板部５ａの略中央部には、円形の開口部６が形成されている。この開口部６は、後述するチャッキング動作時に光ディスク２の中心孔２ａに係合されるターンテーブル２３ａの係合突部２８ａを外部に臨ませるためのものである。また、天板部５ａの開口部６の周囲は、ターンテーブル２３ａ上に保持された光ディスク２の中心孔２ａの周囲と当接されるように、筐体３の内側に向かって僅かに突出した当接突部７を形成している。
【００２１】
天板部５ａの内側の主面には、後述する第１の回動アーム３５の先端部と第２の回動アーム３６の先端部とを高さ方向に規制しながら、互いに近接又は離間する方向に案内するガイド部材８が設けられている。このガイド部材８は、天板部５ａの両側板部５ｂの間に亘って略円弧状をなす板金からなり、天板５ａの前面側にスポット溶接等により取り付けられている。また、このガイド部材８は、背面側が前面側の取付面よりも一段高くなされた段差部８ａを有している。これにより、ガイド部材８の背面側の段差部８ａと天板部５ａとの間には、第１の回動アーム３５の先端部及び第２の回動アーム３６の先端部が係合されるガイド溝９が形成されている。また、天板部５ａには、このガイド溝９に第１の回動アーム３５の先端部と第２の回動アーム３６の先端部とを係合させるための作業用の窓部１０がそれぞれ設けられている。
【００２２】
ボトムケース４は、図４に示すように、板金を用いて偏平な筐体状に形成され、その底面部は略矩形状に形成され、一方の側面部にはこの底面部よりも底上げされて外側へと張り出されたウイング部４ａが設けられている。
【００２３】
ボトムケース４の底面部には、図示を省略するが、駆動制御回路を構成するＩＣチップ等の電子部品や、各部の電気的な接続を図るためのコネクタ、各部の動作を検出するための検出スイッチ等が配置された回路基板がネジ止め等により取り付けられている。また、ボトムケース４の底面部には、シャーシ１１がネジ止めにより取り付けられている。このシャーシ１１は、回路基板の上方において、ボトムケース４の内部をウイング部４ａと略同等の高さで上下に仕切るように配置されている。
【００２４】
このボトムケース５には、図２に示すように、トップカバー４がネジ止めにより取り付けられている。具体的に、天板部５ａの外周縁部には、図３に示すように、ネジ１２を挿通するための複数のネジ挿通孔１３が形成されている。また、両側の側板部５ｂには、天板部５ａ側に向かって略直角に折り曲げた複数のガイド片１４が設けられている。一方、ボトムケース４の外周縁部には、図４に示すように、内側に略直角に折り曲げられた複数の固定片１５が設けられており、これら固定片１５には、トップカバー５のネジ挿通孔１３に対応したネジ孔１６が形成されている。また、ボトムケース４の両側面部には、トップカバー５の複数のガイド片１４の抜け止めとなる複数のガイド溝１７が形成されている。
【００２５】
ボトムケース４にトップカバー５を取り付ける際は、ボトムケース４の複数のガイド溝１７にトップカバー５の複数のガイド片１４を係合させた状態で、トップカバー５を前面側から背面側へとスライドさせる。これにより、トップカバー５の天板部５ａがボトムケース４の上部開口部を閉塞した状態となる。この状態でトップカバー５の複数のネジ挿通孔１３からボトムケース４のネジ孔１６にネジ１２を螺合する。以上のようにして、図２に示すような装置本体を構成する筐体３が形成される。
【００２６】
なお、トップカバー５の天板部５ａには、組み付け後に、上述した開口部６や作業用の窓部１０を覆うラベル（図示せず。）が貼り付けられる。これにより、筐体３の内部に塵埃等が侵入することが防止される。
【００２７】
筐体３の前面側には、図２に示すように、長尺な矩形状をなす平板なフロントパネル１８が取り付けられている。このフロントパネル１８には、光ディスク２が水平方向に出し入れされるディスク挿脱口１９が設けられている。すなわち、光ディスク２は、このディスク挿脱口１９から筐体３の内部へ挿入され、ディスク挿脱口１９から筐体３の外部へと排出される。また、フロントパネル１８の前面には、光ディスク２に対するアクセス状態を点灯表示する表示部２０や、光ディスク２をイジェクトする際に押圧操作されるイジェクトボタン２１が設けられている。
【００２８】
このディスクドライブ装置１は、図４及び図５に示すように、ボトムケース４の底面部に駆動部本体を構成するベースユニット２２が設けられている。
【００２９】
このベースユニット２２は、ディスク挿脱口１９から筐体３の内部に挿入された光ディスク２が装着されるディスク装着部２３と、このディスク装着部２３に装着された光ディスク２を回転駆動するディスク回転駆動機構２４と、このディスク回転駆動機構２４により回転駆動される光ディスク２に対して信号の書き込み又は読み出しを行う光ピックアップ２５と、この光ピックアップ２５を光ディスク２の半径方向に送り動作させるピックアップ送り機構２６とを有し、これらがベース２７に一体に設けられた超薄型構造を構成している。
【００３０】
このベースユニット２２は、ディスク装着部２３がボトムケース４の底面部のほぼ中央部に位置するように、シャーシ１１よりも前面側に配置されている。ベースユニット２２は、後述するベース昇降機構５５によって昇降可能とされており、初期状態において、ディスク挿脱口１９から筐体３の内部に挿入される光ディスク２よりも下方側に位置している。
【００３１】
ベース２７は、金属板を所定の形状に打ち抜き、その周囲を僅かに下方に折り曲げて形成されている。ベース２７の主面には、後述するディスク装着部２３のターンテーブル２３ａを上方へと臨ませる略半円状のテーブル用開口部２７ａと、後述する光ピックアップ２５の対物レンズ２５ａを上方へと臨ませる略矩形状のピックアップ用開口部２７ｂとが連続形成されている。なお、ベース２７の上面部には、これら開口部２７ａ，２７ｂに対応した開口部が形成された化粧板（図示せず。）が取り付けられる。
【００３２】
ディスク装着部２３は、ディスク回転駆動機構２４により回転駆動されるターンテーブル２３ａを有し、このターンテーブル２３ａの中心部には、光ディスク２を装着するためのチャッキング機構２８が設けられている。このチャッキング機構２８は、光ディスク２の中心孔２ａに係合し、光ディスク２の回転中心をターンテーブル２３ａの回転中心と一致させるセンタリングを行う係合突部２８ａと、この係合突部２８ａに係合された光ディスク２の中心孔２ａの内周面を押圧し、この光ディスク２をターンテーブル２３ａと一体に回転するように支持する複数の押圧支持片２８ｂとを備える。
【００３３】
ディスク回転駆動機構２４は、光ディスク２をターンテーブル２７ａと一体に回転駆動する偏平なスピンドルモータ２４ａを備える。スピンドルモータ２４ａは、駆動軸の先端部に取り付けられたターンテーブル２３ａがベース２７のテーブル用開口部２７ａから僅かに突出するように、支持板２４ｂを介してベース２７の下面にネジ止めにより取り付けられている。
【００３４】
光ピックアップ２５は、光源となる半導体レーザから出射された光ビームを対物レンズ２５ａにより集光して光ディスク２の信号記録面に照射し、この光ディスク２の信号記録面で反射された戻りの光ビームを受光素子等からなる光検出器により検出する光学ブロックを有し、光ディスク２に対する信号の書き込み又は読み出しを行う。
【００３５】
また、この光ピックアップ２５は、対物レンズ２５ａを、この対物レンズ２５ａの光軸と平行な方向のフォーカッシング方向と、対物レンズ２５ａの光軸と直交する平面方向であって、光ディスクの記録トラックと直交する方向のトラッキング方向とに変位駆動する対物レンズ駆動機構を有し、上述した光検出器により検出された光ディスク２からの検出信号に基づいて、この対物レンズ駆動機構により対物レンズ２５ａをフォーカッシング方向及びトラッキング方向に変位させながら、光ディスク２の信号記録面上に対物レンズ２５ａの焦点を合わせるフォーカスサーボや、対物レンズ２５ａにより集光される光ビームのスポットが記録トラックを追従するトラッキングサーボの駆動制御を行う。なお、対物レンズ駆動機構としては、このようなフォーカシング制御及びトラッキング制御に加えて、対物レンズ２５ａにより集光された光ビームを光ディスク２の信号記録面に垂直に照射させるように、光ディスク２の信号記録面に対する対物レンズ２５ａの傾きでありチルト調整を可能とするように構成したものであってもよい。
【００３６】
ピックアップ送り機構２６は、光ピックアップ２５が搭載されたピックアップベース２９と、このピックアップベース２９を光ディスク２の半径方向にスライド可能に支持する一対のガイド軸３０ａ，３０ｂと、これら一対のガイド軸３０ａ，３０ｂに支持されたピックアップベース２９を光ディスク２の半径方向に送り操作する送り駆動機構３１とを有している。
【００３７】
ピックアップベース２９には、一対のガイド軸３０ａ，３０ｂのうち、一方のガイド軸３０ａを挿通するガイド孔が形成された一対のガイド片３２ａ，３２ｂと、他方のガイド軸３０ｂを挟み込むガイド溝が形成されたガイド片３３とが互いに対向する側面から突出形成されている。これにより、ピックアップベース２９は、一対のガイド軸３０ａ，３０ｂにスライド可能に支持されている。
【００３８】
一対のガイド軸３０ａ，３０ｂは、ベース２７の下面に光ディスク２の半径方向と互いに平行となるように配置されており、ベース２７のピックアップ用開口部２７ｂから光ピックアップ２５が臨むピックアップベース２９を光ディスク２の内外周に亘って案内する。
【００３９】
送り駆動機構３１は、ベース２７に取り付けられた駆動モータ３１ａの回転駆動をギヤやラック（図示せず。）を介して直線駆動に変換し、ピックアップベース２９を一対のガイド軸３０ａ，３０ｂに沿った方向、すなわち光ディスク２の半径方向に移動操作する。
【００４０】
このディスクドライブ装置１は、図４に示すように、ディスク挿脱口１９から光ディスク２が挿脱されるディスク挿脱位置と、ディスク装着部２３のターンテーブル２３ａに光ディスク２が装着されるディスク装着位置との間で光ディスク２の搬送を行うディスク搬送機構３４を備えている。
【００４１】
このディスク搬送機構３４は、天板部５ａのディスク装着部２３と対向する主面と、ディスク挿脱口１９から挿入された光ディスク２の主面との間で移動操作されるサポート部材として、当該ディスク２の主面と平行な面内で回動可能とされた第１の回動アーム３５及び第２の回動アーム３６を有している。
【００４２】
これら第１の回動アーム３５及び第２の回動アーム３６は、ディスク装着部２３を挟んだ左右の両側に各々配置されており、それぞれディスク装着部２３よりも背面側に位置する基端部が回動可能に支持されるとともに、ディスク装着部２３よりも前面側に位置する先端部がディスク挿脱口１９から挿入された光ディスク２の主面と平行な面内で互いに近接又は離間する方向に回動可能となっている。
【００４３】
具体的に、第１の回動アーム３５は、長尺な金属板により形成され、ディスク装着部２３のターンテーブル２３ａを挟んだ左右の一方側（例えば図４中の右側）に位置して、基端部がシャーシ１１上に設けられた第１の支軸３７を介して、矢印ａ１方向及び矢印ａ２方向に回動可能に支持されている。また、第１の回動アーム３５の先端部には、ディスク挿脱口１９から挿入された光ディスク２の外周部と当接される第１の前面側当接部材３８が下方に向かって突出して設けられている。また、第１の回動アーム３５の基端部近傍には、光ディスク２をディスク装着位置に位置決めする際に、第１の前面側当接部材３８とともに光ディスク２の外周部に当接される第１の背面側当接部材３９が下方に向かって突出して設けられている。
【００４４】
第１の前面側当接部材３８及び第１の背面側当接部材３９は、合成樹脂を用いて形成され、ディスク挿脱口１９から挿入された光ディスク２の外周部と当接される中央部分が内側に湾曲し、その両端部が拡径されたフランジ部３８ａ，３９ａとして光ディスク２の高さ方向の移動を規制する略鼓形形状を有している。ここで、第１の前面側当接部材３８及び第１の背面側当接部材３９が光ディスク２の主面に接触するような構造を有する場合は、これら各部材３８，３９は光ディスク２よりも柔らかい樹脂で形成されていることが望ましい。これら第１の前面側当接部材３８及び第１の背面側当接部材３９は、第１の回動アーム３５のディスク装着部２３と対向する主面に回転可能に取り付けられた小径の回転ローラであってもよい。
【００４５】
一方、第２の回動アーム３６も、長尺な金属板により形成され、ディスク装着部２３のターンテーブル２３ａを挟んだ左右の他方側（例えば図４中の左側）に位置して、基端部がシャーシ１１上に設けられた第１の支軸３７を介して、矢印ｂ１方向及び矢印ｂ２方向に回動可能に支持されている。また、第２の回動アーム３６の先端部には、ディスク挿脱口１９から挿入された光ディスク２の外周部に当接される第２の前面側当接部材４０が下方に向かって突出して設けられている。
【００４６】
第２の前面側当接部材４０は、ディスク挿脱口１９から挿入された光ディスク２の外周部と当接される中央部分が内側に湾曲し、その両端部が拡径されたフランジ部４０ａとして光ディスク２の高さ方向の移動を規制する略鼓形形状を有している。ここで、第２の前面側当接部材４０が光ディスク２の主面に接触するような構造を有する場合は、この第２の前面側当接部材４０は光ディスク２よりも柔らかい樹脂で形成されていることが望ましい。この第２の前面側当接部材４０は、第２の回動アーム３６のディスク装着部２３と対向する主面に回転可能に取り付けられた小径の回転ローラであってもよい。
【００４７】
このように、第１の回動アーム３５と第２の回動アーム３６とは、ディスク装着部２３のターンテーブル２３ａを挟んで略対称となる位置に配置されている。また、本実施の形態のように、互いの回動中心がディスク装着部２３よりも背面側の略中央部において一致していることにより構造を単純化できる。また、第１の回動アーム３５の先端部及び第２の回動アーム３６の先端部は、上述した天板部５ａのガイド溝９に係合された状態で回動方向に沿ってスライド可能に支持されている。
【００４８】
ディスク搬送機構３４は、これら第１の回動アーム３５と第２の回動アーム３６とを連動させるための連動機構４１を有しており、この連動機構４１を介して第１の回動アーム３５と第２の回動アーム３６とが互いに逆向きに回動可能となっている。具体的に、この連動機構４１は、第１の回動アーム３５と第２の回動アーム３６とを連結する第１の連結アーム４２及び第２の連結アーム４３を有している。これら第１の連結アーム４２及び第２の連結アーム４３は、長尺な金属板からなり、それぞれの長手方向の一端部が第１の回動アーム３５の基端部と第２の回動アーム３６の基端部とに回動可能に支持され、それぞれの長手方向の他端部が第２の支軸４４を介して回動可能に支持された、いわゆるパンタグラフ構造を有している。また、第２の支軸４４は、シャーシ１１の第１の支軸３７よりも前面側に設けられたガイド溝４５に係合されており、このガイド溝４５は、光ディスク２の挿入方向に亘って直線状に形成されている。
【００４９】
したがって、第１の回動アーム３５と第２の回動アーム３６とは、第２の支軸４４がガイド溝４５内をスライドすることで、第１の連結アーム４２及び第２の連結アーム４３を介して互いに逆向きに回動可能となっている。すなわち、第１の回動アーム３５の先端部と第２の回動アーム３６の先端部とは、このような連動機構４１によって、互いに近接又は離間する方向に回動可能となっている。
【００５０】
また、第１の回動アーム３５及び第２の回動アーム３６の基端部には、これら回動アーム３５，３６を互いに近接する方向に付勢する付勢手段である捻りコイルバネ（図示せず。）が設けられている。
【００５１】
ディスク搬送機構３４は、光ディスク２をディスク挿脱口１９から筐体３の内部へと引き込むローディング動作を補助するためのローディング補助手段として、ディスク挿脱口１９から挿入される光ディスク２の主面と平行な面内で回動可能とされた第３の回動アーム４６を有している。
【００５２】
第３の回動アーム４６は、長尺な金属板よりなり、ディスク装着部２３のターンテーブル２３ａを挟んだ左右の一方側（例えば図４中左側）の第２の回動アーム３６よりも前面側に位置して、基端部がウイング部４ａ上に設けられた支軸４７を介して、矢印ｃ１方向及び矢印ｃ２方向に回動可能に支持されている。また、第３の回動アーム４６の先端部には、ディスク挿脱口１９から挿入された光ディスク２の外周部に当接される第３の当接部材４８が上方に向かって突出して設けられている。
【００５３】
第３の当接部材４８は、第３の回動アーム４６の天板部５ａと対向する主面に回転可能に取り付けられた合成樹脂からなる小径の回転ローラである。この第３の当接部材４８は、ディスク挿脱口１９から挿入された光ディスク２の外周部と当接される中央部分が内側に湾曲し、その両端部が拡径されたフランジ部４０ａとして光ディスク２の厚さ方向の移動を規制する鼓形形状を有している。
【００５４】
ディスク搬送機構３４は、光ディスク２をディスク挿脱口１９から筐体３の外部へと排出するイジェクト動作を補助するためのイジェクト補助機構として、ディスク挿脱口１９から挿入される光ディスク２の主面と平行な面内で回動可能とされた第４の回動アーム４９を有している。
【００５５】
第４の回動アーム４９は、長尺状の板金からなり、ディスク装着部２３のターンテーブル２３ａを挟んだ左右の一方側（例えば図４中左側）の第２の回動アーム３６の中間部において、矢印ｄ１方向及び矢印ｄ２方向に回動可能に支持されている。また、第４の回動アーム４９の先端部には、ディスク挿脱口１９から挿入された光ディスク２の外周部の背面側に当接される第４の当接部材５０が上方に向かって突出して設けられている。
【００５６】
第４の当接部材５０は、合成樹脂を用いて形成され、ディスク挿脱口１９から挿入された光ディスク２の外周部と当接される中央部分が内側に湾曲し、その両端部が拡径されたフランジ部５０ａとして光ディスク２の厚さ方向の移動を規制する鼓形形状を有している。この第４の当接部材５０は、第４の回動アーム４９の天板部５ａと対向する主面に回転可能に取り付けられた小径の回転ローラであってもよい。
【００５７】
また、第２の回動アーム３６には、第４の回動アーム４９が背面側、すなわち矢印ｄ１方向に回動された際に、この第４の回動アーム４９の背面側への回動を規制する規制片５１が設けられている。
【００５８】
このディスク搬送機構３４は、上述した各回動アーム３５，３６，４６，４９を協働させるための駆動レバー５２を有している。この駆動レバー５２は、全体が略直方体状に形成された樹脂部材からなり、ボトムケース４の底面部において、このボトムケース４の一方の側面部とベースユニット２２との間に配置されている。また、この駆動レバー５２は、ディスク挿脱口１９から筐体３の内部に挿入される光ディスク２よりも下方に位置しており、その上面部がウイング部４ａの底面部と略一致した高さを有している。この駆動レバー５２は、ボトムケース４の底面部に設けられた駆動モータやギヤ群等からなる図示を省略する駆動機構を介して図４中矢印Ｘ１方向及び矢印Ｘ２方向の前後方向にスライド駆動される。
【００５９】
そして、ディスク搬送機構３４では、この駆動レバー５２のスライド動作に連動して、上述した第２の支軸４４がガイド溝４５内をスライドすることになる。これにより、第１の回動アーム３５及び第２の回動アーム３６は、連動機構４１を介して互いに逆向きに回動操作される。また、第３の回動アーム４６の基端側には、駆動レバー５２の上面に設けられたガイド溝５３に係合されるガイドピン５４が設けられている。これにより、第３の回動アーム４６は、駆動レバー５２のスライド動作に連動して、ガイドピン５４がガイド溝５３内をスライドすることで回動操作される。また、第４の回動アーム４９も、図示を省略する連結機構を介して駆動レバー５２のスライド動作に連動して回動操作される。
【００６０】
このディスク搬送機構３４は、これら第１の回動アーム３５、第２の回動アーム３６、第３の回動アーム４６及び第４の回動アーム４９が互いに協働しながら、光ディスク２をディスク挿脱口から筐体３の内部へと引き込むローディング操作と、光ディスク２をディスク装着位置に位置決めするセンタリング操作と、光ディスク２をディスク挿脱口１９から筐体３の外部へと排出するイジェクト操作とを行う。
【００６１】
このディスクドライブ装置１は、図４に示すように、上述した駆動レバー５２のスライドに連動して、ベース２７を昇降操作するベース昇降機構５５を備えている。このベース昇降機構５５は、ベース２７を上昇させて、ディスク装着位置に位置決めされた光ディスク２をディスク装着部２３のターンテーブル２３ａに装着するチャッキング位置と、ベース２７を下降させて、ディスク装着部２３のターンテーブル２３ａから光ディスク２を離脱するチャッキング解除位置と、ベース２７をチャッキング位置とチャッキング解除位置との間に位置させて、光ディスク２に対する信号の記録又は再生を行う中間位置との間でベース２７を昇降操作する。
【００６２】
具体的に、上述した駆動レバー５２のベース２７と対向する側面には、光ディスク２のチャッキング位置、光ディスク２のチャッキング解除位置及び中間位置に対応したカム溝（図示せず。）が長手方向に亘って形成されている。
【００６３】
また、ボトムケース４の底面部には、ベース２７の背面側の側面に沿ってカムレバー５６が配置されている。このカムレバー５６は、長尺状の平板部材からなり、駆動レバー５２の図４中矢印Ｘ１方向及び矢印Ｘ２方向の前後方向へのスライドに連動して、この駆動レバー５２のスライド方向と略直交する方向にスライド操作される。このカムレバー５６の中間部には、ベース２７と対向する端縁部から上方に向かって折り曲げられたカム片５７が設けられている。このカム片５７には、光ディスク２をターンテーブル２３ａにチャッキングするチャッキング位置、ターンテーブル２３ａから離脱させたチャッキング解除位置、光ディスク２をターンテーブル２３ａに装着して記録再生を行う中間位置に対応したカム溝（図示せず。）が長手方向に亘って形成されている。
【００６４】
また、ボトムケース４の底面部には、折曲げ片５８がベース２７の背面側の側面に沿って折り曲げ形成されている。この折曲げ片５８には、ベース２７を昇降させるための鉛直溝（図示せず。）が上下方向に亘って形成されている。
【００６５】
これに対して、ベース２７は、図５に示すように、駆動レバー５２と対向する側面のディスク装着部２３側に位置して、駆動レバー５２の側面に形成されたカム溝に係合されて支持される第１の支軸５９と、カムレバー５６と対向する側面のディスク装着部２３側に位置して、カム片５７のカム溝及び折曲げ片５８の鉛直溝に係合されて支持される第２の支軸６０と、駆動レバー５２と対向する側面とは反対側の側面の前面側に位置して、ボトムケース４の他方側の側面に設けられた軸孔６１に回動可能に支持された第３の支軸６２と、カムレバー５６と対向する側面とは反対側の側面の前面側に位置して、ゴム等の粘弾性部材からなるインシュレータ６３を介してボトムケース４の底面部にネジ６４により支持された支持部６５とを有している。
【００６６】
このベース昇降機構５５では、駆動レバー５２及びカムレバー５６のスライドに連動して、第１の支軸５９が駆動レバー５２のカム溝内をスライドするとともに、第２の支軸６０がカムレバー５６のカム溝及び折曲げ片５８の鉛直溝内をスライドすることによって、ベース２７のディスク装着部２３側が筐体３の前面側に対して、光ディスク２をターンテーブル２３ａにチャッキングするチャッキング位置と、ターンテーブル２３ａから離間させるチャッキング解除位置と、ターンテーブル２３ａに光ディスク２を装着して記録再生を行う中間位置との間で昇降操作される。
【００６７】
また、ボトムケース４の底面部には、図４に示すように、このベース昇降機構５５がベース２７を下降させたとき、ディスク装着部２３のターンテーブル２３ａ上に装着された光ディスク２をターンテーブル２３ａから離脱させるためのチャッキング解除機構を構成する押上ピン６６が設けられている。この押上ピン６６は、ベースユニット２２のディスク装着部２３の近傍、具体的にはディスク装着部２３に最も近接したベース２７の背面側に位置して、ボトムケース４の底面部から上方に向かって突出して設けられている。
【００６８】
次に、以上のように構成されるディスクドライブ装置１の具体的な動作について説明する。
【００６９】
このディスクドライブ装置１では、図６に示すように、光ディスク２が挿入される前の初期状態において、第１の回動アーム３５及び第２の回動アーム３６は、それぞれの先端部が所定の広がり角で開いた状態で保持されている。第３の回動アーム４６は、先端部が基端部よりも外側に位置し且つ先端部が基端部よりも前面側に位置した状態で保持されている。第４の回動アーム４９は、先端部が基端部よりも内側に位置し且つ先端部が基端部よりも前面側に位置した状態で保持されている。駆動レバー５２は、ボトムケース４の前面側に位置している。
【００７０】
このディスクドライブ装置１では、筐体３のディスク挿脱口１９から外径の異なるいずれの光ディスク２Ａ，２Ｂが挿入された場合であっても、これら光ディスク２Ａ，２Ｂをディスク装着位置まで引き込むローディング操作を行うことができる。
【００７１】
具体的に、筐体３のディスク挿脱口１９から大径の光ディスク２Ａが挿入された場合には、まず、図７に示すように、ディスク挿脱口１９から筐体３の内部に挿入された光ディスク２Ａの外周部の背面側が第１の回動アーム３５の第１の前面側当接部材３８及び第２の回動アーム３６の第２の前面側当接部材４０に当接された状態となる。
【００７２】
次に、図８に示すように、この状態から更に光ディスク２Ａがディスク挿脱口１９から筐体３の内部に押し込まれると、第１の回動アーム３５と第２の回動アーム３６とが第１の前面側当接部材３８と第２の前面側当接部材４０との間で大径の光ディスク２Ａの外周部を挟み込む。このとき、第１の前面側当接部材３８と第２の前面側当接部材４０とが光ディスク２Ａの外周部の背面側に当接された状態で、第１の回動アーム３５と第２の回動アーム３６とが捻りコイルバネの付勢に抗して互いに離間する方向、すなわち図８中矢印ａ２方向、矢印ｂ２方向に回動される。
【００７３】
そして、第１の回動アーム３５及び第２の回動アーム３６が互いに離間する方向に所定量だけ回動されたとき、回路基板に設けられた初期位置を検出する検出スイッチが押圧されることによって、駆動機構による駆動レバー５２の装置内方の背面側へのスライドが開始される。これにより、第３の回動アーム４６は、図８中矢印ｃ１方向に回動される。また、第３の回動アーム４６は、第３の当接部材４８が大径の光ディスク２Ａの外周部の前面側に当接された状態となることで、この光ディスク２Ａの外周部の前面側を押圧しながら、光ディスク２Ａを筐体３の内部へと引き込むことになる。
【００７４】
そして、図９に示すように、大径の光ディスク２Ａの中心孔２ａが第１の前面側当接部材３８と第２の前面側当接部材４０とを結ぶ直線よりも背面側に位置するまで筐体３の内部に引き込まれると、第１の前面側当接部材３８と第２の前面側当接部材４０とが光ディスク２Ａの外周部に沿って背面側から前面側へと回り込む。すると、今度は第１の前面側当接部材３８と第２の前面側当接部材４０とが光ディスク２Ａの外周部の前面側に当接された状態で、第１の回動アーム３５と第２の回動アーム３６とが捻りコイルバネに付勢されて互いに近接する方向、すなわち図９中矢印ａ１方向、矢印ｂ１方向に回動される。これにより、第１の回動アーム３５及び第２の回動アーム３６は、大径の光ディスク２Ａの外周部の前面側を押圧しながら、大径の光ディスク２Ａを図１０に示すディスク装着位置まで引き込むことになる。
【００７５】
また、第４の回動アーム４９は、第４の当接部材５０が大径の光ディスク２Ａの外周部の背面側に当接された状態で押圧されることによって、図８中矢印ｄ１方向に回動される。そして、第４の回動アーム４９は、大径の光ディスク２Ａが図１０に示すディスク装着位置で引き込まれた際に、第２の回動アーム３６の規制片５１に当接され、その回動が規制された状態となる。
【００７６】
一方、筐体３のディスク挿脱口１９から小径の光ディスク２Ｂが挿入された場合には、まず、図１６に示すように、ディスク挿脱口１９から筐体３の内部に挿入された小径の光ディスク２Ｂの外周部の背面側が第１の回動アーム３５の第１の前面側当接部材３８及び第２の回動アーム３６の第２の前面側当接部材４０に当接された状態となる。
【００７７】
次に、図１７に示すように、この状態から更に小径の光ディスク２Ｂがディスク挿脱口１９から筐体３の内部に押し込まれると、第１の回動アーム３５と第２の回動アーム３６とが第１の前面側当接部材３８と第２の前面側当接部材４０との間で小径の光ディスク２Ｂの外周部を挟み込む。このとき、第１の前面側当接部材３８と第２の前面側当接部材４０とが光ディスク２Ｂの外周部の背面側に当接された状態で、第１の回動アーム３５と第２の回動アーム３６とが捻りコイルバネの付勢に抗して互いに離間する方向、すなわち図１７中矢印ａ２方向、矢印ｂ２方向に回動される。
【００７８】
そして、第１の回動アーム３５及び第２の回動アーム３６が互いに離間する方向に所定量だけ回動されたとき、回路基板に設けられた検出スイッチが押圧されることによって、駆動機構による駆動レバー５２の背面側へのスライドが開始される。
【００７９】
これにより、第３の回動アーム４６は、図１７中矢印ｃ１方向に回動される。また、第３の回動アーム４６は、第３の当接部材４８が小径の光ディスク２Ｂの外周部の前面側に当接された状態となることで、この光ディスク２Ｂの外周部の前面側を押圧しながら、光ディスク２Ｂをディスク挿脱口１９から筐体３の内部へと引き込むことになる。
【００８０】
そして、図１８に示すように、小径の光ディスク２Ｂの中心孔２ａが第１の前面側当接部材３８と第２の前面側当接部材４０とを結ぶ直線よりも背面側に位置するまで、光ディスク２Ｂが筐体３の内部に引き込まれると、第１の前面側当接部材３８と第２の前面側当接部材４０とが光ディスク２Ｂの外周部に沿って背面側から前面側へと回り込む。すると、第１の前面側当接部材３８と第２の前面側当接部材４０とが光ディスク２Ｂの外周部の前面側に当接された状態で、第１の回動アーム３５と第２の回動アーム３６とが捻りコイルバネに付勢されて互いに近接する方向、すなわち図１８中矢印ａ１方向、矢印ｂ１方向に回動される。
【００８１】
これにより、第１の回動アーム３５及び第２の回動アーム３６は、小径の光ディスク２Ｂの外周部の前面側を押圧しながら、この光ディスク２Ｂを図１９に示すディスク装着位置まで引き込むことになる。
【００８２】
また、第４の回動アーム４９は、第４の当接部材５０が小径の光ディスク２Ｂの外周部の背面側に当接された状態で押圧されることによって、図１８中矢印ｄ１方向に回動される。そして、第４の回動アーム４９は、小径の光ディスク２Ｂが図１９に示すディスク装着位置で引き込まれた際に、第２の回動アーム３６の規制片５１に当接され、その回動が規制された状態となる。
【００８３】
このディスクドライブ装置１では、図１０及び図１９に示すように、第１の回動アーム３５及び第２の回動アーム３６が、これら外径の異なる光ディスク２Ａ，２Ｂをディスク装着位置まで引き込んだ際に、第１の前面側当接部材３８、第１の背面側当接部材３９、第２の前面側当接部材４０、第４の当接部材５０の内側に光ディスク２Ａ，２Ｂを挟み込むことによって、これら外径の異なる光ディスク２Ａ，２Ｂをディスク装着位置に位置決めするセンタリング動作を行う。すなわちこれら外径の異なる光ディスク２Ａ，２Ｂの中心孔２ａと、ターンテーブル２３ａの係合突部２８ａとを当該ディスク２の主面と直交する方向において一致させる。
【００８４】
次に、このディスクドライブ装置１では、上述した光ディスク２のセンタリング動作の後に、ベース昇降機構５５がベース２７を上昇させることによって、ディスク装着位置に位置決めされた光ディスク２をディスク装着部２３のターンテーブル２３ａに装着するチャッキング動作を行う。
【００８５】
具体的には、図２６に示すチャッキング解除位置からベース昇降機構５５によりベース２７が図２７に示すチャッキング位置まで上昇すると、ディスク装着位置に位置決めされた光ディスク２の中心孔２ａに係合突部２８ａが入り込みながら、天板部５ａの当接突部７に光ディスク２の中心孔２ａの周囲が押し付けられることによって、係合突部２８ａが光ディスク２の中心孔２ａに係合されるとともに、複数の押圧支持片２８ｂが光ディスク２の中心孔２ａの周囲を係止した状態で、光ディスク２がターンテーブル２３ａ上に保持される。そして、光ディスク２がターンテーブル２３ａ上に保持された状態で、ベース昇降機構５５によりベース２７が図２８に示す中間位置まで下降する。
【００８６】
また、このディスクドライブ装置１では、上述したチャッキング動作の後に、後述するように、駆動レバー５２の筐体３の内方の背面側へのスライドに連動して、第１の回動アーム３５及び第２の回動アーム３６が互いに離間する方向、すなわち図１１及び図２０中に示す矢印ａ２方向、矢印ｂ２方向に僅かに回動される。このとき、第４の回動アーム４９は、規制片５１に当接されたまま、第２の回動アーム３６と一体に回動されることになる。また、第３の回動アーム４６は、駆動レバー５２の筐体３の内方の背面側へのスライドに連動して、図１１及び図２０中に示す矢印ｃ２方向に僅かに回動される。これにより、ターンテーブル２３ａに保持された光ディスク２Ａ，２Ｂの外周部から、第１の前面側当接部材３８、第１の背面側当接部材３９、第２の前面側当接部材４０、第３の当接部材４８、第４の当接部材５０が離間した状態となる。
【００８７】
このディスクドライブ装置１は、図１１、図２０及び図２８に示す状態から、パーソナルコンピュータ１０００から記録又は再生の指令信号が入力されると、この指令に基づいて、光ディスク２に対して情報信号の記録又は再生が行われる。具体的には、スピンドルモータ２４ａが光ディスク２をターンテーブル２３ａと一体に回転駆動するとともに、ピックアップ送り機構２６によって光ピックアップ２５が外周側から内周側へ移動し、フォーカスサーボ制御とトラッキングサーボ制御がかかると、この光ディスク２のリードイン領域に記録されているＴＯＣデータの読み出しを行う。この後、情報信号を記録する場合にあっては、読み出したＴＯＣデータに基づいて、光ディスク２のプログラム領域内の所定のアドレスに、光ピックアップ２５が移動する。また、情報信号の再生時にあっては、指定されたデータが記録されたプログラム領域内のアドレスに、光ピックアップ２５が移動する。そして、この光ピックアップ２５が光ディスク２の所望の記録トラックに対して情報信号の書き込み又は読み出し動作を行う。
【００８８】
このディスクドライブ装置１では、フロントパネル２０に設けられたイジェクトボタン２１が操作され、又はこのディスクドライブ装置１が搭載されたパーソナルコンピュータ１０００からイジェクト指令信号が入力されると、この指令信号に基づいて、まず、駆動機構により駆動レバー５２の前面側へのスライドが開始される。
【００８９】
そして、駆動レバー５２の前面側へスライドに連動して、第１の回動アーム３５及び第２の回動アーム３６が互いに近接する方向、すなわち図１２及び図２１中に示す矢印ａ１方向、矢印ｂ１方向に僅かに回動される。このとき、第４の回動アーム４９は、規制片５１に当接されたまま、第２の回動アーム３６と一体に回動される。また、第３の回動アーム４６は、駆動レバー５２の筐体３の前面側へのスライドに連動して、図１２及び図２１中に示す矢印ｃ１方向方向に僅かに回動される。
【００９０】
これにより、ターンテーブル２３ａに保持された光ディスク２Ａ，２Ｂの外周部に、第１の前面側当接部材３８、第１の背面側当接部材３９、第２の前面側当接部材４０、第３の当接部材４８、第４の当接部材５０が当接された状態となる。なお、図２１に示す小径の光ディスク２Ｂの場合には、第４の当接部材５０がこの光ディスク２Ｂの外周部から離間した状態となる。
【００９１】
次に、このディスクドライブ装置１では、ベース昇降機構５５がベース２７を上記チャッキング解除位置まで下降させることによって、ディスク装着部２３のターンテーブル２３ａから光ディスク２を離脱するチャッキング解除動作を行う。
【００９２】
具体的には、ベース２７が上記チャッキング解除位置まで下降すると、押上ピン６６の先端部がディスク装着部２３のターンテーブル２３ａに装着された光ディスク２の内周側の非信号記録領域に当接することによって、この光ディスク２を押し上げながら、光ディスク２をターンテーブル２３ａ上から離脱する。
【００９３】
次に、このディスクドライブ装置１では、ディスク装着部２３にある光ディスク２Ａ，２Ｂをディスク挿脱口１９から筐体３の外部へと排出するイジェクト操作を行う。
【００９４】
具体的に、筐体３のディスク挿脱口１９から大径の光ディスク２Ａを排出する場合には、まず、図１３に示すように、駆動レバー５２の前面側へのスライドに連動して、第４の回動アーム４９が図１３中矢印ｄ２方向に回動される。また、第４の回動アーム４９は、第４の当接部材５０が大径の光ディスク２Ａの外周部の背面側に当接された状態となることで、この光ディスク２Ａの外周部の背面側を押圧しながら、光ディスク２Ａを筐体３の外部へと押し出すことになる。
【００９５】
そして、図１４に示すように、大径の光ディスク２Ａの中心孔２ａが第１の前面側当接部材３８と第２の前面側当接部材４０とを結ぶ直線よりも前面側に位置するまで、光ディスク２Ａが筐体３の外部へと排出されると、第１の前面側当接部材３８と第２の前面側当接部材４０とが大径の光ディスク２Ａの外周部に沿って前面側から背面側へと回り込む。すると、今度は第１の前面側当接部材３８と第２の前面側当接部材４０とが光ディスク２Ａの外周部の背面側に当接された状態で、第１の回動アーム３５と第２の回動アーム３６とが捻りコイルバネに付勢されて互いに近接する方向、すなわち図１４中に示す矢印ａ１方向、矢印ｂ１方向に回動される。
【００９６】
また、第３の回動アーム４６は、第３の当接部材４８が大径の光ディスク２Ａの外周部に当接された状態で押圧されることによって、図１４中に示す矢印ｃ２方向に回動される。
【００９７】
そして、第１の回動アーム３５及び第２の回動アーム３６は、大径の光ディスク２Ａの外周部の背面側を押圧しながら、この光ディスク２Ａを図１５に示すディスク挿脱位置、すなわち大径の光ディスク２Ａの中心孔２ａがディスク挿脱口１９から筐体３の外部に露出する位置まで押し出すことになる。
【００９８】
一方、筐体３のディスク挿脱口１９から小径の光ディスク２Ｂを排出する場合には、まず、駆動レバー５２の前面側へのスライドに連動して、第４の回動アーム４９が図２２中矢印ｄ２方向に回動される。また、第４の回動アーム４９は、第４の当接部材５０が小径の光ディスク２Ｂの外周部の背面側に当接された状態となることで、この光ディスク２Ｂの外周部の背面側を押圧しながら、光ディスク２Ｂを筐体３の外部へと押し出すことになる。
【００９９】
そして、図２３に示すように、小径の光ディスク２Ｂの中心孔２ａが第１の前面側当接部材３８と第２の前面側当接部材４０とを結ぶ直線よりも前面側に位置するまで、小径の光ディスク２Ｂが筐体３の外部へと排出されると、第１の前面側当接部材３８と第２の前面側当接部材４０とが小径の光ディスク２Ｂの外周部に沿って前面側から背面側へと回り込む。すると、今度は第１の前面側当接部材３８と第２の前面側当接部材４０とが小径の光ディスク２Ｂの外周部の背面側に当接された状態で、第１の回動アーム３５と第２の回動アーム３６とが捻りコイルバネに付勢されて互いに近接する方向、すなわち図２３中矢印ａ１方向、矢印ｂ１方向に回動される。
【０１００】
また、第３の回動アーム４６は、第３の当接部材４８が小径の光ディスク２Ｂの外周部に当接された状態で押圧されることによって、図２３中矢印ｃ２方向に回動される。
【０１０１】
そして、第１の回動アーム３５及び第２の回動アーム３６は、小径の光ディスク２Ｂの外周部の背面側を押圧しながら、この光ディスク２Ｂを図２４に示すディスク挿脱位置まで押し出すことになる。
【０１０２】
なお、小径の光ディスク２Ｂの場合には、図２５に示すように、第１の回動アーム３５と第２の回動アーム３６とを互いに近接する方向、すなわち図２５中矢印ａ１方向、矢印ｂ１方向に更に回動させることによって、光ディスク２Ｂの中心孔２ａがディスク挿脱口１９から筐体３の外部に露出する位置まで光ディスク２Ｂを押し出すことも可能である。
【０１０３】
上述したように、このディスクドライブ装置１では、第１の回動アーム３５及び第２の回動アーム３６によって、外径の異なる光ディスク２Ａ，２Ｂをディスク装着位置まで引き込んだ際に、第１の前面側当接部材３８、第１の背面側当接部材３９、第２の前面側当接部材４０、第４の当接部材５０の内側に光ディスク２Ａ，２Ｂを挟み込むことによって、これら外径の異なる光ディスク２Ａ，２Ｂをディスク装着位置に位置決めするセンタリング動作を行うことが可能である。
【０１０４】
ここで、図２９に模式的に示すように、第１の回動アーム３５と第２の回動アーム３６とは、ディスク装着部２３のターンテーブル２３ａを挟んで略対称となる位置に配置されており、このターンテーブル２３ａよりも背面側に位置する回動中心Ｏを中心として互いに近接又は離間する方向に回動可能となっている。
【０１０５】
また、外径の異なる光ディスク２Ａ，２Ｂの外周部と当接される４つの当接部材３８，３９，４０，５０のうち、第１の回動アーム３５のターンテーブル２３ａよりも前面側に位置する第１の前面側当接部材３８及び第１の回動アーム３５のターンテーブル２３ａよりも背面側に位置する第１の背面側当接部材３９と、第２の回動アーム３６のターンテーブル２３ａよりも前面側に位置する第２の前面側当接部材４０及び第２の回動アーム３６のターンテーブル２３ａよりも背面側に位置する第４の当接部材５０とは、ターンテーブル２３ａの中心部及び回動中心Ｏを通る光ディスク２の挿入方向に沿った中心線を挟んで略対称な位置関係となっている。
【０１０６】
ところで、直径を１２ｃｍとする大径の光ディスク２Ａをセンタリングする場合と、直径を８ｃｍとする小径の光ディスクをセンタリングする場合では、回動中心Ｏを中心とする第１の回動アーム３５及び第２の回動アームの回動範囲にΔθだけ角度差が生じることになる。
【０１０７】
したがって、この角度差Δθを考慮して、４つの当接部材３８，３９，４０，５０の配置を予め設定しておけば、上述したセンタリング動作の際に、これら４つの当接部材３８，３９，４０，５０を外径の異なる光ディスク２Ａ，２Ｂの外周部に当接させることが可能である。
【０１０８】
具体的に、ターンテーブル２３ａよりも前面側を通る回動中心Ｏを中心とした円弧をＳ１とし、この円弧Ｓ１とディスク装着位置にある大径の光ディスク２Ａと小径の光ディスク２Ｂの外周部との接点をそれぞれＡ，Ｂとし、ターンテーブル２３ａよりも背面側を通る回動中心Ｏを中心とした円弧をＳ２（Ｓ１＞Ｓ２）とし、この円弧Ｓ２とディスク装着位置にある大径の光ディスク２Ａの外周部及び小径の光ディスク２Ｂの外周部との接点をそれぞれＡ'，Ｂ'としたときに、角度ＡＯＢ＝Ａ'ＯＢ'＝Δθの関係を満足する２つの円弧Ｓ１，Ｓ２は、所定の半径の範囲に亘って存在することになる。そして、このような関係を満足する位置に、４つの当接部材３８，３９，４０，５０が配置されるよう設計がなされている。
【０１０９】
なお、円弧Ｓ１の近傍では、半径が小さくなるほどΔθは小さくなり、半径が大きくなるとΔθが大きくなる。そして、円弧Ｓ１を若干超えたところ、すなわち小径の光ディスク２Ｂの外周部と接触不可能となるところが設計限界となる。一方、円弧Ｓ２の近傍では、半径が小さくなるほどΔθは大きく、半径が大きくなるとΔθが小さくなる。そして、Δθには極小値があり、そこが設計限界となる。
【０１１０】
また、実際の設計においては、設計自由度の範囲内で最も好ましい円弧Ｓ１，Ｓ２の半径及び角度差Δθを設定することになるが、これらはＣＡＤソフトなど用いて作図しながら容易に求めることが可能である。
【０１１１】
以上のようにして、このディスクドライブ装置１では、第１の回動アーム３５及び第２の回動アーム３６が第１の前面側当接部材３８、第１の背面側当接部材３９、第２の前面側当接部材４０、及び第４の当接部材５０の内側に外径の異なる光ディスク２Ａ，２Ｂをそれぞれ挟み込んだ際に、これら外径の異なる光ディスク２Ａ，２Ｂの中心部（中心孔２ａ）と、ディスク装着部２３の中心部（ターンテーブル２３ａの係合突部２８ａと）を当該ディスク２の主面と直交する方向において一致させることが可能である。すなわち、これら外径の異なる光ディスク２Ａ，２Ｂをディスク装着位置に位置決めするセンタリング動作を適切且つ安定的に行うことが可能である。
【０１１２】
また、このディスクドライブ装置１では、第１の回動アーム３５及び第２の回動アーム３６によって、外径の異なる大径の光ディスク２Ａと小径の光ディスクとをディスク装着位置まで引き込むと同時にセンタリング動作が行われる。すなわち、第１の回動アーム３５及び第２の回動アーム３６によるセンタリング動作は、第３の回動アーム４６によって引き込まれた光ディスク２を更にディスク装着位置まで引き込む動作を兼ねている。
【０１１３】
したがって、このディスクドライブ装置１では、ディスク挿脱口１９から挿入される光ディスク２Ａ，２Ｂの外径の違いによらず、これら外径の異なる光ディスク２Ａ，２Ｂをディスク装着位置まで引き込むローディング動作を適切且つ安定的に行うことが可能である。
【０１１４】
具体的に、大径の光ディスク２Ａの半径が６ｃｍであるのに対して、小径の光ディスク２Ｂの半径は４ｃｍであることから、この半径の差により小径の光ディスク２Ｂの方が大径の光ディスク２Ａよりも２ｃｍほど余分にディスク挿脱口１９から筐体３の内部へと押し込む必用があり、ディスク装着位置までの距離が等しくならない。すなわち、小径の光ディスク２Ｂの方が大径の光ディスク２Ａよりも、ディスク挿脱口１９から挿入された後のディスク装着位置までのストロークが２ｃｍほど不足することになる。
【０１１５】
そこで、本発明に係るディスクドライブ装置１では、このような大径の光ディスク２Ａと小径の光ディスク２Ｂとの外径の違いによるストロークの差分を吸収するため、まず、第３の回動アーム４６によって小径の光ディスク２Ｂの中心孔２ａが第１の前面側当接部材３８と第２の前面側当接部材４０とを結ぶ直線よりも背面側に位置するまで、小径の光ディスク２Ｂが筐体３の内部へと押し込まれる。なお、実際のマージンとして、大径の光ディスク２Ａの場合よりも１０ｍｍ程度余分に小径の光ディスク２Ａを押し込めば、その後の引き込み動作がより安定したものとなる。
【０１１６】
次に、第１の回動アーム３５と第２の回動アーム３６とが捻りコイルバネに付勢されて互いに近接する方向に回動されることによって、第１の前面側当接部材３８と第２の前面側当接部材４０との間に挟み込まれた小径の光ディスク２Ｂがディスク装着位置まで引き込まれる。
【０１１７】
このとき、第１の回動アーム３５と第２の回動アーム３６との閉じ具合に応じて、大径の光ディスク２Ａと小径の光ディスク２Ｂとの外径の違いによるストロークの差分が吸収されることになる。これにより、これら外径の異なる光ディスク２Ａ，２Ｂをディスク装着位置まで確実に引き込むことができる。
【０１１８】
また、本発明に係るディスクドライブ装置１では、大径の光ディスク２Ａのセンタリング動作の際に、第３の回動アーム４６の第３の当接部材４８も大径の光ディスク２Ａの外周部に当接可能な構成となっている。すなわち、大径の光ディスク２Ａの外周部には、合計５つの当接部材３８，３９，４０，４８，５０が当接されることになる。
【０１１９】
ここで、センタリング動作の際に光ディスク２の外周部に当接される当接部は、第１の回動アーム３５のターンテーブル２３ａよりも前面側と、第１の回動アーム３５のターンテーブル２３ａよりも背面側と、第２の回動アーム３６のターンテーブル２３ａよりも前面側と、第２の回動アーム３６のターンテーブル２３ａよりも背面側とのうち、ターンテーブル２３ａを囲む少なくとも３箇所に合計３つ以上必要となる。
【０１２０】
したがって、本発明に係るディスクドライブ装置１は、上述した条件を満足するのであれば、上述した構成に必ずしも限られるものではなく、例えばセンタリング時に大径の光ディスク２Ａの外周部から第３の当接部材４８を離間させた構成や、更にセンタリング時における当接箇所を３箇所とした構成とすることも可能である。
【０１２１】
また、本発明に係るディスクドライブ装置１では、例えば図３０に示すように、センタリング時に光ディスク２の外周部と当接される当接部材３８，３９，４０，５０の形状を略円弧状とすることも可能である。なお、この円弧の半径は、大径の光ディスク２Ａの半径よりも小さいことが望ましい。
【０１２２】
この場合、第１の回動アーム３５及び第２の回動アーム３６によるローディング動作の開始位置を手前とすることができ、また、イジェクト動作完了後の光ディスク挿脱口１９からの光ディスク２の排出量を増やすことができる。
【０１２３】
また、この場合、図３１に模式的に示すように、大径の光ディスク２Ａをセンタリングするとき、略円弧状をなす第１の背面側当接部材３９及び第４の当接部材５０の背面側（図３１中に示すＡ１点）に、大径の光ディスク２Ａの外周部が当接することになる。一方、小径のディスク２Ｂをセンタリングするとき、略円弧状をなす第１の背面側当接部材３９及び第４の当接部材５０の前面側（図３１中に示すＢ１点）に、小径の光ディスク２Ｂの外周部が当接することになる。
【０１２４】
したがって、Ａ１ＯＢ１＝Δθは、第１の背面側当接部材３９及び第４の当接部材５０の円弧部分が長いほど小さくなる。また、角度差Δθが小さくなると、第１の回動アーム３５及び第２の回動アーム３６の回動範囲が狭くなる。これより、例えば回動アーム３５，３６の通過部分の減少によるデッドスペースの減少や、これら回動アーム３５，３６を駆動する駆動レバー５２の駆動ストロークの減少によるメカニカルストレスの減少等のメリットを得ることができる。
【０１２５】
このように、第１の背面側当接部材３９及び第４の当接部材５０の形状を略円弧形状とすることで、角度差Δθの設定範囲が広がることから、設計自由度を更に高めることが可能である。
【０１２６】
また、本発明に係るディスクドライブ装置１では、図３２に示すように、センタリング時に光ディスク２の外周部と当接される各当接箇所に、複数の当接部材を配置するようにしてもよい。なお、本例では、上述した第１の背面側当接部材３９に代えて、第１の回動アーム３５のターンテーブル２３ａよりも背面側に位置して光ディスク２の引き込み排出専用の当接部材７０ａと、センタリング用の当接部材７０ｂとが設けられている。
【０１２７】
なお、第４の当接部材５０についても、複数の当接部材に分割する構成が考えられるが、この第４の当接部材５０は、上述したローディング動作やイジェクト動作の際に光ディスク２の外周部に沿って動作することから、分割された当接部材による第４の回動アーム４９の不連続な動作を防止するため、連続した形状となる円弧形状、又は先端部のみを分離し、ローラにより構成することが望ましい。
【０１２８】
また、上述した光ディスク２のイジェクト動作を補助するためのイジェクト補助手段として、図３０及び図３２に示すように、ディスク挿脱口１９から挿入される光ディスク２の主面と平行な面内で回動可能な第５の回動部材７１を、支軸７１ａを介して第１の回動アーム３５に回動可能に取り付けた構成とすることも可能である。また、第５の回動部材７１には、ディスク挿脱口１９から挿入された光ディスク２の外周部の背面側に当接される第５の当接部材７１ｃが上方に向かって突設されている。これにより、上述したイジェクト動作をより確実に行うことが可能となる。
【０１２９】
また、本発明に係るディスクドライブ装置１では、第１の回動アーム３５及び第２の回動アーム３６が、天板部５ａのディスク装着部２３と対向する主面とディスク挿脱口１９から挿入された光ディスク２の主面との間で回動操作される。
【０１３０】
このため、ディスク挿脱口１９から挿入された光ディスク２とベース２７との間のクリアランスの影響を受けることがなく、上述した光ディスク２のローディング動作、センタリング動作及びイジェクト動作を適切且つ安定的に行うことが可能である。
【０１３１】
特に、外径の異なる光ディスク２Ａ，２Ｂのうち、小径の光ディスク２Ｂのセンタリング動作の後に、ベース２７を上昇させてターンテーブル２３Ａ上に小径の光ディスク２Ｂを装着するチャッキング動作を行った場合でも、第１の回動アーム３５及び第２の回動アーム３６とベース２７との衝突を回避することが可能である。
【０１３２】
したがって、本発明に係るディスクドライブ装置１では、外径を異にする光ディスク２のローディングを可能としながら、ターンテーブル２３ａへのチャッキング時に狭小となる光ディスク２とベース２７との間のクリアランスの影響を受けることなく、装置全体を更に小型、軽量、薄型化を図ることが可能となる。
【０１３３】
また、本発明に係るディスクドライブ装置１では、第１の回動アーム３５の先端部及び第２の回動アーム３６の先端部が天板部５ａに設けられたガイド部材８のガイド溝９に係合された状態でスライド可能に支持されている。これにより、天板部５ａのディスク装着部２３と対向する主面と、ディスク挿脱口１９から挿入された光ディスク２の主面との間で、これら第１の回動アーム３５及び第２の回動アーム３６を安定的に回動操作することが可能である。
【０１３４】
更に、筐体３は、このようなガイド部材８を天板部５ａの前面側に取り付けることで、ガイド部材８が補強リブとして機能することになり、その結果、トップカバー５の剛性を高めることが可能である。これにより、トップカバー５のディスク挿脱口１９近傍の剛性低下を防ぎ、上述したベース２７を上昇させてディスク装着部２３のターンテーブル２３ａに光ディスク２を装着する際の動作信頼性を向上させることが可能である。
【０１３５】
以上のように、本発明に係るディスクドライブ装置１は、簡素な機構を有しながら、外径の異なる光ディスク２Ａ，２Ｂを選択的にローディングが可能であり、小径の光ディスク２Ｂをローディングするため、大径の光ディスク２Ａと同じ大きさにするためのアダプタを用いる付ける必要もなく、操作性を更に良好とすることが可能である。また、動作の信頼性が高く、低コスト化も容易である。
【０１３６】
そして、本発明に係るディスクドライブ装置１では、従来の外径の異なる光ディスク２Ａ，２Ｂを選択的に装着を可能としたスロットイン型のディスクドライブ装置に比べて、部品点数を大幅に削減することが可能であり、装置全体を更に小型、軽量、薄型化を図ることが可能である。特に、ノート型のパーソナルコンピュータ１０００等に搭載される超薄型のスロットイン型のディスクドライブ装置として、厚さを１２．７ｍｍ、又は９．５ｍｍまで薄型化を図ることができる。
【０１３７】
次に、本発明に係るディスクドライブ装置１を駆動制御するための具体的な構成について説明する。なお、以下の説明では、上述したディスクドライブ装置１と同等の機能を実行する部材については、共通の符号を付して説明する。
【０１３８】
ディスク搬送機構３４を構成する第１乃至第４の回動アーム３５，３６，４６，４９のうち、第１の回動アーム３５及び第２の回動アーム３６には、図３３に示すように、第１の前面側当接部材３８及び第２の前面側当接部材４０に、それぞれ前後一対の回転ローラ７３ａ，７３ｂが回転可能に取り付けられている。これら一対の回転ローラ７３ａ，７３ｂのうち、筐体３の前面側に位置する回転ローラ７３ａは、上述したローディング動作及びイジェクト動作の際に光ディスク２の外周部に当接に当接される部分であり、筐体３の背面側に位置する回転ローラ７３ｂは、上述したセンタリング動作の際に光ディスク２の外周部に当接される部分である。このように、一対の回転ローラ７３ａ，７３ｂに別々の機能を持たせることで、上述した第１の回動アーム３５及び第２の回動アーム３６による大径の光ディスク２Ａ及び小径の光ディスク２Ｂのローディング動作、センタリング動作及びイジェクト動作を確実に、しかも安定して行うことが可能である。
【０１３９】
また、連動機構４１では、図３３、図３４及び図３５に示すように、上述した第１の回動アーム３５と第２の回動アーム３６とを、外径を異にする光ディスク２Ａ，２Ｂにそれぞれ対応して回動操作する必要がある。このため、カムレバー５６の中途部から上方に向かって折り曲げられたカム片５７が更に水平方向に略コ字状に折り曲げられている。このカム片５７の水平面部５７ａには、大径の光ディスク２Ａに対応した第１のカム部７４ａと、この第１のカム部７４ａよりも前面側を切り欠くことによって、小径の光ディスク２Ｂに対応した第２のカム部７４ｂとが形成されている。
【０１４０】
そして、この連動機構４１では、筐体３のディスク挿脱口１９から大径の光ディスク２Ａが挿入された場合と、小径の光ディスク２Ｂが挿入された場合とで第１の回動アーム３５と第２の回動アーム３６との開き角度の相違によって、第２の支軸４４の第１のカム部７４ａと第２のカム部７４ｂへの係合状態が切り替わる。
【０１４１】
具体的に、大径の光ディスク２Ａが挿入された場合には、第２の支軸４４が第１のカム部７４ａに係合し、上述したカムレバー５６の左右方向のスライド動作に連動してガイド溝４５内をスライドする。これにより、大径の光ディスク２Ａの外径に対応して、第１の回動アーム３５と第２の回動アーム３６とを互いに近接又は離間する方向に回動操作することができる。
【０１４２】
一方、小径の光ディスク２Ｂが挿入された場合には、第２の支軸４４が第２のカム部７４ｂに係合し、上述したカムレバー５６の左右方向のスライド動作に連動してガイド溝４５内をスライドする。これにより、小径の光ディスク２Ｂの外径に対応して、第１の回動アーム３５と第２の回動アーム３６とを互いに近接又は離間する方向に回動操作することができる。
【０１４３】
また、ディスク搬送機構３４は、図３３に示すように、第１の回動アーム３５と第２の回動アーム３６とを互いに近接する方向に付勢する付勢部材として、第１の捻りコイルバネ７５を備えている。第１の捻りコイルバネ７５は、詳細は図示しないが、コイル部を第１の支軸３７に挿通した状態で、一端部を第１の回動アーム３５の基端部に係止し、他端部を第２の回動アーム３６に係止することによって、第１の回動アーム３５と第２の回動アームアーム３６とを互いに近接する方向に付勢している。
【０１４４】
また、ディスク搬送機構３４は、図３４及び図５７に示すように、上述した第１の回動アーム３５と第２の回動アーム３６とを互いに近接する方向に付勢する付勢状態と非付勢状態とを切替可能とする付勢切替機構として、第２の回動アーム３６を押圧する押圧レバー７６と、この押圧レバー７６を第１の回動アーム３５と第２の回動アーム３６とが互いに近接される方向に付勢する付勢部材である第２の捻りコイルバネ７７とを備えている。
【０１４５】
押圧レバー７６は、その一端部に第２の回動アーム３６に当接される当接ピン７６ａと、その他端部に図３７（ａ）〜図３７（ｄ）に示す駆動レバー５２の上面部に形成されたカム溝７８に係合されるカムピン７６ｂとを有している。この押圧レバー７６は、当接ピン７６ａが第２の回動アーム３６に当接される当接位置と、当接ピン７６ｂが第２の回動アーム３６から離間する退避位置との間で回動可能な状態でシャーシ１１上に軸支されている。
【０１４６】
第２の捻りコイルバネ７７は、図３４に示すように、そのコイル部がシャーシ１１に支持された状態で、その一端部がシャーシ１１に係止され、その他端部が押圧レバー７６に係止されことによって、この押圧レバー７６の当接ピン７６ａを第２の回動アーム３６に当接する方向に付勢している。
【０１４７】
このディスク搬送機構３４では、押圧レバー７６が第２の回動アーム３６を押圧することによって、上述した第１の回動アーム３５と第２の回動アーム３６とが互いに近接する方向に付勢された状態から、駆動レバー５２が図３４中矢印Ｘ２方向の背面側へのスライドに連動して、押圧レバー７６のカムピン７６ｂが駆動レバー５２のカム溝７８内をスライドしながら、駆動レバー５２が筐体３の背面側の端部までスライドされたとき、第２の捻りコイルバネ７７の付勢に抗して退避位置まで回動されることによって、非付勢状態に切り替える。
【０１４８】
第３の回動アーム４６は、図３３及び３４に示すように、ウイング部４ａ上に配置された付勢部材である捻りコイルバネ７９によって付勢されている。この捻りコイルバネ７９は、その一端部がウイング部４ａの係止ピン７９ａに係止され、その他端部が第３の回動アーム４６の下面に設けられた係止ピン７９ｂに係止され、第３の回動アーム４６の付勢方向を光ディスク２の外周部に当接する方向と、光ディスク２の外周部から離間する方向とに切替可能とされている。
【０１４９】
また、第３の回動アーム４６は、支軸４７が挿通される略Ｌ字状の軸孔４６ａと、図３７に示すように、駆動レバー５２の上面部に形成されたカム溝８０に係合されるカムピン７６ｂとを有している。この第３の回動アーム４６は、図５６（ａ）乃至図５６（ｆ）に示すように、駆動レバー５２のスライド動作に連動して、カムピン４６ｂがカム溝８０内をスライドすることによって回動操作される。また、第３の回動アーム４６は、軸孔４６ａ内における支軸４７の位置によって回動中心が切り替えられる。
【０１５０】
第４の回動アーム４９は、図３３に示す連結機構８１を介して駆動レバー５２のスライド動作に連動して回動操作される。
【０１５１】
具体的に、この連結機構８１は、第１の支軸３７を介して回動可能に支持されたクランクアーム８２ａと、このクランクアーム８２ａと第４の回動アーム４９との間を連接する連接アーム８２ｂとからなるクランク機構を有している。連接アーム８２ｂには、第２の回動アーム３６に設けられたガイドピン８３ａが挿通する長孔８３ｂが形成されている。このクランク機構は、第４の回動アーム４９の回動動作に連動して、クランクアーム８２ａが回動する。
【０１５２】
また、連結機構８１は、図３５に示すように、ボトムケース４の底面部に、上述したクランクアーム８２ａを介して回動される第１のギヤ８４と、この第１のギヤ８４と噛み合わされる第２のギヤ８５と、この第２のギヤ８５と噛み合わされる第３のギヤ８６が形成された回動操作部材８７とを有している。
【０１５３】
この回動操作部材８７は、駆動レバー５２のスライド動作に連動して、第４の回動アーム４９を回動操作するためのものであり、後述する駆動レバー５２のスライド部材９２と係合する係合ピン８８と、記録再生時に駆動レバー５２の背面側の端部に当接して駆動レバー５２を位置決め固定する位置決めピン８９とを有している。
【０１５４】
そして、回動操作部材８７は、付勢部材である引張りコイルバネ９０によって回動方向の一方側（ここでは、図３５中時計回りの方向）に付勢されている。この引張りコイルバネ９０は、一端部がボトムケース４の底面部に設けられた係止ピン９０ａに係止され、その他端部が回動操作部材８７に設けられた係止ピン９０ｂに係止されることによって、この回動操作部材８７を回動方向の一方側に付勢している。なお、回動操作部材８７には、係止ピン９０ａを逃がすための略円弧状のスリット９１が形成されている。
【０１５５】
一方、駆動レバー５２の背面側には、この駆動レバー５２に対して前後方向にスライド可能とされたスライド部材９２が取り付けられている。このスライド部材９２は、第１の及び第２の引張りコイルバネ９３ａ，９３ｂにより前面側へと付勢されており、背面側の端部に回動操作部材８７の係合ピン８８が係合されることによって、駆動レバー５２のスライド動作に連動して、この回動操作部材８７を回動操作する。
【０１５６】
第１の及び第２の引張りコイルバネ９３ａ，９３ｂは、それぞれ筐体３の前面側の端部が駆動レバー５２に係止され、背面側の端部がスライド部材９２に係止されることによって、スライド部材９２を駆動レバー５２に対して図３５中矢印Ｘ１方向の前面側へと付勢している。このうち、第１の引張りコイルバネ９３ａは、駆動レバー５２とスライド部材９２とを一体で動作させるためのものであり、そのバネ力は、２００〜３００ｇｆ程度とされている。一方、第２の引張りコイルバネ９３ｂは、光ディスク２の正常な排出ができない場合に機構を保護するためのものであり、そのバネ力は、４００〜６００ｇｆ程度とされている。
【０１５７】
この連結機構８１は、光ディスク２をローディングする際に、第４の回動アーム４９が筐体３の内方の背面側に向かって回動されると、上述したクランク機構８２を介して第１のギヤ８４が回動される。すると、第１のギヤ８４、第２のギヤ８５及び第３のギヤ８６の噛み合わせにより回動操作部材８７が引張りコイルバネ９０の付勢力に抗して回動方向の他方側（ここでは、図３５中反時計回りの方向）に回動される。これにより、第４の回動アーム４９の背面側への回動に連動して、駆動レバー５２を図３５中矢印Ｘ２方向の背面側へとスライドさせることができる。
【０１５８】
一方、光ディスク２をイジェクト操作する際には、駆動レバー５２が図３５中矢印Ｘ１方向の前面側へとスライドされることによって、回動操作部材８７が回動方向の一方側（ここでは、図３５中時計回りの方向）に回動される。これにより、第３のギヤ８６、第２のギヤ８５及び第１のギヤ８４の噛み合わせによりクランク機構８２を介して第４の回動アーム４６を筐体３の前面側へと回動させることができる。
【０１５９】
第５の回動部材７１は、図３３に示すように、その外周部の所定の領域に亘って形成されたギヤ部７１ｂを有し、このギヤ部７１ｂがシャーシ１１上に配置された内歯ギヤ９４と噛合されることによって、第１の回動アーム３５の回動動作に連動しながら回動操作される。
【０１６０】
ベース昇降機構５５によりベースユニット２２を昇降操作するため、駆動レバー５２には、図３７（ｃ）に示すように、ベース３１と対向する側面に第１のカム溝９５が形成されている。この第１のカム溝９５は、ベースユニット２２をチャッキング解除位置に位置させるための第１の水平面部９５ａと、ベースユニット２２を上記チャッキング位置に位置させるための頂上面部９５ｂと、ベースユニット２２を中間位置に位置させるための第２の水平面部９５ｃとを有している。
【０１６１】
一方、カムレバー５６のカム片５７には、図３８（ｂ）に示すように、第２のカム溝９６が形成されており、この第２のカム溝９６は、ベースユニット２２をチャッキング解除位置に位置させるための第１の水平面部９６ａと、ベースユニット２２をチャッキング位置に位置させるための頂上面部９６ｂと、ベースユニット２２を中間位置に位置させるための第２の水平面部９６ｃとを有している。
【０１６２】
ここで、カムレバー５６は、その主面に前後一対のガイド溝９７ａ，９７ｂが形成され、これらガイド溝９７ａ，９７ｂに、図３５に示すボトムケース４の底面部から突出された一対の頭付ガイドピン９８ａ，９８ｂが係合されることによって、ベースユニット２２の背面側の側面に沿って、駆動レバー５２のスライド方向と略直交する図３５中左右方向の矢印Ｙ１方向及び矢印Ｙ２方向にスライド可能に支持されている。
【０１６３】
また、カムレバー５６と駆動レバー５２とが交差する位置には、ガイドピン９９が上方に向かって突設されている。一方、図３７（ｄ）に示す駆動レバー５２の底面部には、このガイドピン９９が係合されるガイド溝１００が形成されている。そして、カムレバー５６は、図３５に示すように、駆動レバー５２の図３５中矢印Ｘ１方向、矢印Ｘ２方向へのスライドに連動して、ガイドピン９９がガイド溝１００内をスライドすることによって、駆動レバー５６のスライド方向と直交する方向にスライド操作される。
【０１６４】
ベース２７は、上述した図５に示すように、駆動レバー５２と対向する側面のディスク装着部２３側に位置して、駆動レバー５２の第１のカム溝９５に係合されて支持される第１の支軸５９と、カムレバー５６と対向する側面のディスク装着部２３側に位置して、カム片５７の第２のカム溝９６及び折曲げ片５８の鉛直スリットに係合されて支持される第２の支軸６０と、駆動レバー５２と対向する側面とは反対側の側面の前面側に位置して、ボトムケース４の他方側の側面に設けられた軸孔６１に回動可能に支持された第３の支軸６２と、カムレバー５６と対向する側面とは反対側の側面の前面側に位置して、ゴム等の粘弾性部材からなるインシュレータ６３を介してボトムケース４の底面部にネジ６４により支持された固定支持部６５とを有している。
【０１６５】
したがって、このベース昇降機構５５では、駆動レバー５２及びカムレバー５６のスライドに連動して、第１の支軸５９が駆動レバー５２の第１のカム溝９５内をスライドするとともに、第２の支軸６０がカムレバー５６の第２のカム溝９６及び折曲げ片５８の鉛直スリット内をスライドすることによって、ベース２７のディスク装着部２３側が前面側に対して、光ディスク２のターンテーブル２３ａへのチャッキング位置と、ターンテーブル２３ａから離間するチャッキング解除位置と中間位置との間で昇降操作される。
【０１６６】
具体的に、図５８（ａ）乃至図５８（ｄ）に示すチャッキング解除位置においては、図５８（ａ）に示すように、駆動レバー５２の矢印Ｘ１方向の前面側へのスライドに連動して、カムレバー５６が矢印Ｙ１方向の右側へとスライドされることによって、図５８（ｃ）に示すように、第１の支軸５９が第１のカム溝９５内の第１の水平面部９５ａに位置し、第２の支軸６０が第２のカム溝９６内の第１の水平面部９５ａに位置することになる。これにより、ベースユニット２２が、図５８（ｄ）に示すように、チャッキング解除位置まで下降する。
【０１６７】
また、図５９（ａ）乃至図５９（ｄ）に示すチャッキング位置においては、駆動レバー５２の図５８（ａ）中矢印Ｘ２方向へのスライドに連動して、カムレバー５６が矢印Ｙ２方向へとスライドされることによって、図５９（ｃ）に示すように、第１の支軸５９が第１のカム溝９５内の頂上面部９５ｂに位置し、第２の支軸６０が第２のカム溝９６内の頂上面部９６ｂに位置することになる。これにより、ベースユニット２２が、図５９（ｄ）に示すチャッキング位置まで上昇する。
【０１６８】
また、図６０（ａ）乃至図６０（ｄ）示す中間位置においては、駆動レバー５２の図６０（ａ）中矢印Ｘ２方向の背面側の端部へのスライドに連動して、カムレバー５６が図６０（ａ）中矢印Ｙ２方向の左側の端部までスライドされることによって、第１の支軸５９が図６０（ｃ）に示すように第１のカム溝９５内の第２の水平面部９５ｃに位置し、第２の支軸６０が第２のカム溝９６内の第２の水平面部９６ｃに位置することになる。これにより、ベースユニット２２が、図６０（ｄ）に示すチャッキング解除位置とチャッキング位置との間の中間位置まで下降する。
【０１６９】
駆動レバー５２の前面側には、図３９（ａ）、図３９（ｂ）、図４０（ａ）、図４０（ｂ）に示すように、この駆動レバー５２に対して所定のストロークだけ図３９（ａ）、図４０（ａ）中矢印Ｘ１方向、矢印Ｘ２方向の前後方向にスライド可能とされたラック部材１０１が取り付けられている。このラック部材１０１には、前後方向に亘ってラックギヤ１０１ａが形成されている。一方、ボトムケース４の底面部には、図３５に示すように、駆動機構を構成する駆動モータ１０２と、この駆動モータ１０２の回転軸に取り付けられたウォームギヤ１０３と、このウォームギヤからラックギヤへと駆動モータの動力を伝達するギヤ列１０４とが配置されている。
【０１７０】
したがって、この駆動機構は、図３５に示すように、駆動モータ１０２が一の方向に回動駆動することによって、ウォームギヤ１０３、ギヤ列１０４及びラックギヤ１０１ａ介してラック部材１０１が駆動レバー５２に対し図３５中矢印Ｘ２方向の背面側に引き込まれた状態で、駆動レバー５２とラック部材１０１とを一体に図３５及び図３９中矢印Ｘ２方向の背面側へと移動する。一方、この駆動機構は、図４０に示すように、駆動モータ１０２が他の方向に回動駆動することによって、ウォームギヤ１０３、ギヤ列１０４及びラックギヤ１０１ａ介してラック部材１０１が駆動レバー５２に対し図３５中矢印Ｘ１方向の前面側に引き出された状態で、駆動レバー５２とラック部材１０１とを一体に図３５及び図４０（ａ）中の矢印Ｘ１方向の前面側へと移動する。
【０１７１】
また、ボトムケース４の底面部には、図３６に示すように、各部の駆動制御を行う駆動制御回路が構成された回路基板１０５が配置されている。この回路基板１０５は、ボトムケース４の背面側の底面部にネジ止めにより取り付けられている。このボトムケース４の底面部及び回路基板１０５上には、駆動制御回路を構成するＩＣチップ等の電子部品（図示せず。）や、各部の電気的な接続を図るためのコネクタ１０６、各部の動作を検出するための第１〜第４の検出スイッチＳＷ１，ＳＷ２，ＳＷ３，ＳＷ４が配置されている。
【０１７２】
そして、駆動制御回路は、駆動レバー５２が移動することによって操作される第１〜第４の検出スイッチＳＷ１，ＳＷ２，ＳＷ３，ＳＷ４からの検出信号に基づいて、上述した駆動機構により駆動される駆動レバー５２の位置を検出しながら、この駆動機構による駆動レバー５２の駆動制御を行っている。
【０１７３】
このうち、第１の検出スイッチＳＷ１は、ボトムケース４の前面側の端部に配置されている。この第１の検出スイッチＳＷ１は、駆動レバー５２の前端部によって操作され、駆動レバー５２が初期位置に移動され、若しくは駆動レバー５２が初期位置にあることを検出するスイッチであり、このディスクドライブ装置１が初期状態にあることを検出する。
【０１７４】
一方、第２の検出スイッチＳＷ２、第３の検出スイッチＳＷ３、第４の検出スイッチＳＷ４は、回路基板９の駆動レバー５２と対向する端縁部に所定の間隔で、駆動レバー５２の移動方向である図３６中矢印Ｘ１方向、矢印Ｘ２方向に亘って並列配置されている。これら第２乃至第４の検出スイッチＳＷ２，ＳＷ３，ＳＷ４は、駆動レバー５２が図３６中矢印Ｘ１方向又は矢印Ｘ２方向に移動することにより、図３７（ｂ）、図３７（ｃ）に示すように、駆動レバー５２の側面部に設けられたカム部１０７の一部に設けられた操作子１０７ａによって操作され、オン／オフの切換えが行われる。
【０１７５】
ここで、第２の検出スイッチＳＷ２は、このディスクドライブ装置に装着された光ディスク２をイジェクトする位置に駆動レバー５２が移動されたとき、駆動レバー５２に設けた操作子１０７ａによって操作されるスイッチであり、第３の検出スイッチＳＷ３は、このディスクドライブ装置に光ディスク２が挿入され位置に駆動レバー５２が移動されたとき、操作子１０７ａによって操作されるスイッチであり、第４の検出スイッチＳＷ４は、光ディスク２がターンテーブル２３ａにチャッキングされ、情報信号の記録又は再生を可能とする位置に駆動レバー５２が移動されたときに、操作子１０７ａによって操作されるスイッチである。
【０１７６】
次に、以上のように構成されるディスクドライブ装置１の具体的な駆動制御について説明する。
【０１７７】
このディスクドライブ装置１は、この装置１内の情報信号の記録又は再生を可能とする位置に光ディスク２が挿入された状態で電源が遮断されて停止された状態にあるときには、図６１に示すタイミングチャートに従って駆動レバー５２の駆動制御が行われ、装置１内に光ディスク２が装着されることなく電源が遮断されて停止された状態にあるときには図６２に示すタイミングチャートに従って駆動レバー５２の制御が行われる。
【０１７８】
ところで、本例のディスクドライブ装置１は、ディスクドライブ装置１内に光ディスク２が挿入された状態若しくは光ディスク２が挿入されていないいずれの状態においても、電源が投入されると、駆動モータ１０２が他の方向に回転駆動され、駆動レバー５２を一旦図３６中矢印Ｘ１方向に移動させる。このとき、図６１に示すように、第４の検出スイッチＳＷ４が操作子１０７ａにより操作されＯＮ状態にあることが検出されると、駆動レバー５２が装置１内の内方側である背面方向に引き込まれた状態にあって、光ディスク２が記録再生可能な引き込み位置に挿入されていることが検出される。
【０１７９】
ここで、第４の検出スイッチＳＷ４が操作され、光ディスク２が記録再生位置にあることが検出されると、他の方向に回転駆動していた駆動モータ１０２を一の方向に反転駆動し、駆動レバー５２を図３６中矢印Ｘ２方向に移動させ、チャッキングを行う側に移動されていたベースユニット２２を中間に位置に移動させ、光ディスク２に対する情報信号の記録再生を可能な状態とする。
【０１８０】
光ディスク２が記録再生可能な状態とされたところで、この装置１若しくはパーソナルコンピュータ１０００記録再生の指令が入力されることにより情報信号の記録再生が行われる。
【０１８１】
そして、ディスクドライブ装置１内に光ディスク２が装着されることなく電源が遮断されて停止された状態にあるときにも、図６２に示すようなに、駆動モータ１０２が他の方向に回転駆動され、駆動レバー５２を一旦図３６中矢印Ｘ１方向に移動させ、駆動レバー５２の移動を制御しながら第１、第２、第３の検出スイッチＳＷ１、ＳＷ２、ＳＷ３が図６２に示すようなタイミングチャートに従って制御され、一旦、第２の検出スイッチＳＷ２の操作が解除され、再び第２の検出スイッチＳＷ２が操作されたとき、駆動モータ１０２が一の方向に回転し、駆動レバー５２を図３６中矢印Ｘ１方向に移動させ、再び第１のスイッチＳＷ１が操作されたところで、駆動モータ１０２が停止され、駆動レバー５２が筐体３の前面側の初期設定が行われる。
【０１８２】
次に、電源が投入され、図６２に示すようなタイミングチャートに従って駆動レバー５２の位置が制御され、このディスクドライブ装置１が光ディスク２の挿入を可能とする初期設定が行われた後、筐体３のディスク挿脱口１９から大径の光ディスク２Ａを挿入する状態を説明する。
【０１８３】
まず、筐体３のディスク挿脱口１９から大径の光ディスク２Ａが挿入されると、図６３に示すタイミングチャートに従った駆動レバー５２の駆動制御を行いながら、図４１乃至図４４に示すように大径の光ディスク２Ａのローディング操作が行われる。
【０１８４】
具体的には、まず、図４１に示すように、大径の光ディスク２Ａを挿入する初期状態においては、前述した図３４で示した押圧レバー７６の当接ピン７６ａが駆動レバー５２に当接されることによって、駆動レバー５２が図４１中矢印Ｘ１方向の前面側に向かって付勢されている。また、押圧レバー７６のカムピン７６ｂが駆動レバー５２のカム溝７８を押圧することによって、駆動レバー５２に図４１中矢印Ｘ１方向の前面側に向かう推力が生じている。
【０１８５】
次に、図４２に示す大径の光ディスク２Ａのローディング開始状態においては、光ディスク２Ａに押圧された第４の回動アーム４９が矢印ｄ１方向の背面側に向かって回動されると、連結機構８１を介して駆動レバー５２が図４２中矢印Ｘ２方向の背面側に向かってスライドする。このとき、第３の回動アーム４６のカムピン４６ｂが駆動レバー５２のカム溝８０内で移動が規制された状態となる。このため、駆動レバー５２に対してスライド部材９２が第１の引張りコイルバネ９３ａの付勢に抗して、前述した図３５中矢印Ｘ２方向の背面側へと移動する。そして、この第３の回動アーム４６が所定の角度位置、すなわち大径の光ディスク２Ａの引き込みが可能となったとき、駆動レバー５２が図４２中矢印Ｘ２方向の背面側に所定のストロークだけ移動し、第３の検出ＳＷ３の操作が切り替えられたことが駆動制御回路により検出され、駆動モータ１０２の一の方向の回転駆動が開始され、駆動レバー５２が駆動モータ１０２の駆動力を受けて図３６中矢印Ｘ２方向に移動される。
【０１８６】
次に、大径の光ディスク２Ａが中心孔２ａをチャッキング機構２８に係合するセンタリングが行われた状態では、図４３に示すように、第３の回動アーム４６の第３の当接部材４８と、第４の回動アーム４９の第４の当接部材５０と、第５の回動部材７１の第５の当接部材７１ｃとの間で大径の光ディスク２Ａのセンタリング動作が行われる。そして、図４４に示すように、大径の光ディスク２Ａのチャッキングが完了する。このチャッキング操作は、駆動モータ１０２を図６３に示すように、一の方向及び他の方向への反転駆動を行い、駆動レバー５２の位置を制御してベースユニット２２の昇降を行って実行する。
【０１８７】
なお、このディスクドライブ装置１では、ベースユニット２２をチャッキング位置まで上昇させて、大径の光ディスク２Ａをターンテーブル２３ａに装着する１回目のチャッキング動作を行い、ベースユニット２２を中間位置まで下降させて、スピンドルモータ２４ａが光ディスク２Ａを回転駆動し、この光ディスク２ａの位相をずらした後、再びベースユニット２２をチャッキング位置まで上昇させて、光ディスク２Ａをターンテーブル２３ａに装着する２回目のチャッキング動作を行っている。
【０１８８】
次に、図４５に示す大径の光ディスク２Ａに情報信号の記録又は再生を行う記録再生状態においては、これら第３の回動アーム４６の第３の当接部材４８と、第４の回動アーム４９の第４の当接部材５０と、第５の回動部材７１の第５の当接部材７１ｃとが光ディスク２Ａの外周部から離間した状態となる。
【０１８９】
一方、このディスクドライブ装置１では、装着された大径の光ディスク２Ａのイジェクト操作は、駆動モータ１０２の回転方向を制御し、図６４に示すタイミングチャートに従った駆動レバー５２の駆動制御を行いながら、図４６及び図４７に示すように行われる。
【０１９０】
ここで、大径の光ディスク２Ａをイジェクトするときには、前述した図３４に示したように、第３の回動アーム４６の軸孔４６ａ内における支軸４７の位置が切り替わることによって、図４６に示すように、この第３の回動アーム４６がローディング時よりも早いタイミングで大径の光ディスク２Ａの外周部から離間する方向に回動する。
【０１９１】
詳述すると、この第３の回動アーム４６は、駆動レバー５２の矢印Ｘ１方向の前面側のスライドに連動して、まず、図５６（ａ）に示す状態から図５６（ｂ）に示す状態となる。このとき、カムピン４６ｂがカム溝８０内における図中右側に湾曲した部分をスライドすることによって、第３の回動アーム４６が反時計回りに回動する。
【０１９２】
次に、図５６（ｃ）に示す状態となるとき、カムピン４４ｂがカム溝８０内の傾斜面に当接されることによって、第３の回動アーム４６が図中左側に押し付けられる。このとき、支軸４７が軸孔４６ａ内におけるＬ字の下側の直線部分を通過する。この時点で大径の光ディスク２Ａがイジェクト可能な状態となる。
【０１９３】
次に、図５６（ｄ）に示す状態となるとき、軸孔４６ａ内における支軸４７の位置がＬ字の右側端部に切り替わることによって、ここを回転中心に第３の回動アーム４６が完全に開いた状態となる。
【０１９４】
次に、図５６（ｅ）に示す状態となるとき、第３の回動アーム４６が捻りコイルバネ７９に付勢されて、軸孔４６ａ内における支軸４７の位置がＬ字の左側端部に切り替わることによって、図５６（ｆ）に示すように、再びローディング前の状態に戻る。
【０１９５】
以上のようにして、このディスクドライブ装置１では、第３の回動アーム４６の回動中心が切り替わることによって、イジェクト時に第２の引張りコイルバネ９３ｂが引き延ばされた状態から第３の回動アーム４６が急峻に開くのを防止することが可能であり、大径の光ディスク２Ａのイジェクト動作を安定して行うことが可能である。
【０１９６】
これに対して、筐体３のディスク挿脱口１９から小径の光ディスク２Ｂが挿入されると、大径の光ディスク２Ａを挿入する場合と同様に、図６３に示すタイミングチャートに従った駆動レバー５２の駆動制御を行いながら、図４８乃至図５２に示す小径の光ディスク２Ｂのローディングが行われる。
【０１９７】
具体的には、まず、小径の光ディスク２Ｂをディスクドライブ装置１に挿入開始する状態においては、押圧レバー７６の当接ピン７６ａが駆動レバー５２に当接されることによって、駆動レバー５２が図４８中矢印Ｘ１方向の前面側に向かって付勢されている。また、押圧レバー７６のカムピン７６ｂが駆動レバー５２のカム溝７８を押圧することによって、駆動レバー５２に図４８中矢印Ｘ１方向の前面側に向かう推力が生じている。
【０１９８】
次に、小径の光ディスク２Ｂがディスクドライブ装置１内に更に挿入されてローディングが開始される図４９に示す状態においては、挿入された小径の光ディスク２Ｂに押圧された第４の回動アーム４９が図４９中矢印ｄ１方向の背面側に向かって回動されると、連結機構８１を介して駆動レバー５２が図４９中矢印Ｘ２方向方向の背面側に向かってスライドする。そして、駆動レバー５２が図４９中矢印Ｘ２方向方向に所定のストロークだけ移動したことが駆動制御回路により検出されると、駆動モータ１０２が一の方向に回転駆動を開始する。そして、第３の回動アーム４６のカムピン４６ｂが駆動レバー５２のカム溝８０内を移動することで、第３の当接部材４８が小径の光ディスク２の外周部に当接した状態で、第３の回動アーム４６が光ディスク２Ｂを引き込む方向に回動する。
【０１９９】
次に、小径の光ディスク２Ｂが中心孔２ａをチャッキング機構２８に係合するセンタリングが行われた状態では、図５０に示すように、第１の回動アーム３５の第１の前面側当接部材３８に設けられた背面の回転ローラ７３ｂと、第２の回動アーム３６の第２の前面側当接部材４０に設けられた背面側の回転ローラ７３ｂと、第４の回動アーム４９の第４の当接部材５０と、第５の回動部材７１の第５に設けた当接部材７１ｃとの間で小径の光ディスク２Ｂのセンタリング動作が行われる。そして、図５１に示すように、小径の光ディスク２Ｂのチャッキングが完了する。
【０２００】
なお、このディスクドライブ装置１では、ベースユニット２２をチャッキング位置まで上昇させて、小径の光ディスク２Ｂをターンテーブル２３ａに装着する１回目のチャッキング動作を行い、ベースユニット２２を中間位置まで下降させて、スピンドルモータ２４ａが小径の光ディスク２Ｂを回転駆動し、この光ディスク２Ｂの位相をずらした後に、再びベースユニット２２をチャッキング位置まで上昇させて、この光ディスク２Ｂをターンテーブル２３ａに装着する２回目のチャッキング動作を行っている。
【０２０１】
次に、図５２に示す小径の光ディスク２Ｂに情報信号の記録又は再生を行う記録再生状態においては、これら第１の回動アーム３５の第１の前面側当接部材３８に設けられた背面の回転ローラ７３ｂと、第２の回動アーム３６の第２の前面側当接部材４０に設けられた背面側の回転ローラ７３ｂと、第４の回動アーム４９の第４の当接部材５０と、第５の回動部材７１の第５の当接部材７１ｃとが光ディスク２Ｂの外周部から離間した状態となる。
【０２０２】
一方、このディスクドライブ装置１では、装着された小径の光ディスク２Ｂのイジェクト操作は、駆動モータ１０２の駆動方向を制御し、図６５に示すタイミングチャートに従った駆動レバー５２の駆動制御を行いながら、図５３及び図５４に示すように行われる。
【０２０３】
具体的には、まず、図５３に示す小径の光ディスク２Ｂのイジェクト状態においては、駆動モータ１０２を他の方向に回転駆動し、駆動レバー５２が図５３中矢印Ｘ１方向の前面側に向かってスライドするのに伴って、第４の回動アーム４９が連結機構８１を介して図５３中矢印ｄ２方向の前面側に回動されるとともに、図３４に示す押圧レバー７６の当接ピン７６ａが駆動レバー５２に当接されて、第１の回動アーム３５と第２の回動アーム３６とを互いに近接する方向に付勢する。これにより、図５４に示すように、小径の光ディスク２Ｂのイジェクト操作が行われる。
【０２０４】
ところで、このディスクドライブ装置１では、図５５に示すように、小径の光ディスク２Ｂがディスク挿脱口の第１の回動アーム３５側に片寄せされた位置から挿入された場合、連動機構を介して第１の回動アーム３５と第２の回動アーム３６とが互いに離間する方向に回動されるものの、ガイド溝４５内をスライドする第２の支軸が左側に湾曲した湾曲部４５ａに引っ掛かることによって、第１の回動アーム３５と第２の回動アーム３６との互いに離間する方向の回動が規制され、小径の光ディスク２Ｂの更なる挿入が阻止される。
【０２０５】
これにより、ディスクドライブ装置１では、小径の光ディスク２Ｂのローディング動作が適切に行われない状態を防ぐことが可能である。
【０２０６】
なお、小径の光ディスク２Ｂがディスク挿脱口の第２の回動アーム３６側に片寄せされた位置から挿入された場合には、早いタイミングで駆動モータ１０２の一の方向の回転駆動が開始される。このため、第３の回動アーム４６が強制的に小径の光ディスク２Ｂを中心側へと引き込む。したがって、上述したような小径の光ディスク２Ｂを第１の回動アーム３５側に片寄せした場合の問題は生じない。
【０２０７】
また、このディスクドライブ装置１では、大径の光ディスク２Ａ又は小径の光ディスク２Ｂのいずれのディスク２が挿入された場合でも、駆動レバー５２が各図に示す矢印Ｘ２方向の背面側に同じストロークだけスライドされた時点で、駆動モータ１０２が他の方向に駆動し、この駆動レバー５２を各図に示す矢印Ｘ２方向の背面側へ移動させることから、その後の駆動レバー５２の駆動を同じシーケンス制御で行うことが可能であり、外径の異なるディスク２Ａ，２Ｂ毎に別個の検出スイッチを設ける必要がなく、構造を簡素化することができる。
また、このディスクドライブ装置１は、図６６及び図６７に示すように、ボトムケース４の前面側にディスク挿脱口１９から挿入される光ディスク２の挿入角度を規制しながら案内する第１のディスクガイド機構１０８と、ターンテーブル２３ａに光ディスク２が装着された状態において、新たな光ディスク２がディスク挿脱口１９から筐体３の内部に挿入されるのを防止するためのシャッタ開閉機構１０９とを備えている。
【０２０８】
第１のディスクガイド機構１０８は、図６６，図６７及び図６８に示すように、ベース昇降機構５５によるベースユニット２２の昇降動作に同期しながら昇降操作される挿入ガイドレバー１１０を有している。この挿入ガイドレバー１１０は、光ディスク２との摩擦が少ない樹脂部材からなり、光ディスク２の挿入方向に沿って配置されるとともに、基端側に設けられた支軸１１１がモータケース１１２の背面側に設けられた軸受部１１３に係合されて回動可能に支持されている。また、挿入ガイドレバー１１０の上面部には、大径の光ディスク２Ａ及び小径の光ディスク２Ｂに対応するため、ディスク挿脱口１９に沿った横長のガイド片１１０ａが前面側に向かって突出形成されている。また、挿入ガイドレバー１１０には、ベース２７に設けられた押圧片１１４によって押圧される被押圧片１１０ｂが背面側の側面から突出形成されている。
【０２０９】
また、挿入ガイドレバー１１０のガイド片１１０ａの下面には、モータケース１１２の背面に支持されたトーションバー１１５の一端が係合されている。このトーションバー１１５は、モータケース１１２に取り付けられた捻りコイルバネ１１６に挿通された状態で、この捻りコイルバネ１１６の付勢力により一端を上方に向け、他端を下方に向けた状態となっている。
【０２１０】
そして、この第１のディスクガイド機構１０８では、図７０（ａ）に示すように、ベースユニット２２がチャッキング解除位置にあるとき、ベースユニット２２の押圧片１１４が挿入ガイドレバー１１０の被押圧片１１０ｂを下方に押圧することよって、挿入ガイドレバー１１０のガイド片１１０ａを逆にディスク挿脱口１９から挿入される光ディスク２の挿入角度を規制する位置まで上昇させることができる。一方、図７０（ｂ）に示すように、ベースユニット２２が中間位置にあるとき、挿入ガイドレバー１１０の被押圧片１１０ｂに対するベースユニット２２の押圧片１１４の押圧が解除されることによって、挿入ガイドレバー１１０のガイド片１１０ａをターンテーブル２３ａに装着された光ディスク２の信号記録面から離間する位置まで下降させることができる。
【０２１１】
したがって、このディスクドライブ装置１では、ベース昇降機構５５によるベースユニット２２の昇降動作に連動しながら、第２のディスクガイド機構１０８が挿入ガイドレバー１１０を昇降操作することから、筐体３のディスク挿脱口１９から外径の異なる大径の光ディスク２Ａ又は小径の光ディスク２Ｂを挿入した際に、挿入ガイドレバー１１０のガイド片１１０ａがディスク挿脱口１９から挿入された光ディスク２の挿入角度を規制しながら、これら光ディスク２を筐体３の内部へと案内することによって、光ディスク２の信号記録面が筐体３内の部品と接触して傷付くのを防ぐことができる。この挿入ガイドレバー１１０のガイド片１１０ａは、ディスク挿脱口１９に沿った横長形状を有することから、大径の光ディスク２Ａだけでなく、この光ディスク２Ａよりも小径とされた小径の光ディスク２Ｂにも対応可能である。
【０２１２】
シャッタ開閉機構１０９は、図６６，図６７及び図６９に示すように、上述した第１のディスクガイド機構１０８による挿入ガイドレバー１１０の昇降動作に同期しながら昇降操作されるシャッタ部材１１７を有している。このシャッタ部材１１７は、略矩形状の平板部材からなり、背面側がボトムケース４の前面に設けられた鉛直スリット１１８に係合されて上下方向にスライド可能に支持されている。また、このシャッタ部材１１７の両側面部には、大径の光ディスク２Ａ及び小径の光ディスク２Ｂに対応するため、ディスク挿脱口１９に沿って延長された一対のシャッタ片１１７ａが設けられている。そして、このシャッタ部材１１７の背面側をトーションバー１１５の他端が支持している。これにより、シャッタ部材１１７は、下方に保持されている。
【０２１３】
そして、このシャッタ部材１１７は、第１のディスクガイド機構１０８による挿入ガイドレバー１１０の昇降動作に同期しながら、ディスク挿脱口１９から挿入される光ディスク２の進路を塞ぐ閉塞位置と、ディスク挿脱口１９から挿入される光ディスク２の進路を開放する開放位置との間で昇降動作される。
【０２１４】
具体的に、このシャッタ開閉機構１０９では、図７０（ａ）に示すように、ベース２７がチャッキング解除位置にあるとき、シャッタ部材１１７をディスク挿脱口１９から挿入される光ディスク２の進路を開放する開放位置まで下降させることができる。一方、このシャッタ開閉機構１０９では、図７０（ｂ）に示すように、ベース１７が中間位置にあるとき、挿入ガイドレバー１１０が上昇すると、モータケース１１２に支持されたトーションバー１１５が軸回りに回転し、シャッタ部材１１７を上方に向かって押し上げる。これにより、シャッタ部材１１７をディスク挿脱口１９から挿入される光ディスク２の進路を塞ぐ閉塞位置まで上昇させることができる。
【０２１５】
したがって、このディスクドライブ装置１では、ターンテーブル２３ａに光ディスク２が装着された状態において、シャッタ部材１１７により新たな大径の光ディスク２又は小径の光ディスク２Ｂがディスク挿脱口１９から筐体３の内部に挿入されるのを防ぐことが可能である。特に、このシャッタ部材１１７の一対のシャッタ片１１７ａは、ディスク挿脱口１９に沿って延長された両翼形状を有することから、このシャッタ部材１１７とディスク挿脱口１９との間の隙間から小径の光ディスク２Ｂが挿入されるのを防ぐことが可能である。
【０２１６】
更に、このディスクドライブ装置１は、図６６、図６７及び図７１に示すように、ディスク挿脱口から挿入された小径の光ディスク２Ｂを第４の回動アーム４９の第４の当接部材５０と当接可能な高さに規制しながら、筐体３の内部へと案内する第２のディスクガイド機構１１８を備えている。
【０２１７】
この第２のディスクガイド機構１１８は、第４の回動アーム４９の先端部近傍に、ベース昇降機構５５によるベースユニット２２の昇降動作に同期しながら昇降操作されるガイドレバー１１９を有している。このガイドレバー１１９は、光ディスク２との摩擦が少ない樹脂部材からなり、小径の光ディスク２Ｂの挿入方向に沿って配置されるとともに、基端側に設けられた支軸１１９ａがボトムケース４の底面部に設けられた軸受部材１２０の軸受部１２０ａに係合されて回動可能に支持されている。
【０２１８】
また、ガイドレバー１１９の先端側には、ガイドピン１１９ｂが駆動レバー５２に向かって突出形成されている。一方、駆動レバー５２には、図３７（ｂ）、図３７（ｃ）、に示すように、このガイドピン１１９ｂが摺接されるカム部１２１が設けられている。一方、ガイドレバー１１９の基端側には、弾性片１１９ｃが前面側から背面側に向かって延長して設けられている。そして、この弾性片１１９ｃの先端部が軸受部材１２０の係止部１２０ｂに係止されている。したがって、このガイドレバー１１９の先端側は、この弾性片１１９ｃの弾性力によって下方に向かって付勢されることになる。
【０２１９】
また、ガイドレバー１１９の前面側の上面部には、ディスク挿脱口１９から挿入された小径の光ディスク２Ｂを第４の回動アーム４９の第４の当接部材５０に導くためのディスクガイド部１１９ｄが設けられている。一方、ガイドレバー１１９の背面側の上面部には、小径の光ディスク２Ｂをディスク挿脱口１９から筐体３の外部へと排出する際、又はディスク挿脱口１９から装置本体を構成する筐体３の内部へ挿入する際、この第４の回動アーム４９を高さ方向に規制しながら筐体３の背面側から前面側へ、又は筐体３の前面側から背面側へと案内するアームガイド部１１９ｅが設けられている。これにより、第４の回動アーム４９が筐体３の背面側から前面側へ、又は筐体３の前面側から背面側へと回動された際に、小径の光ディスク２Ｂとターンテーブル２３ａの係合突部２８ａとの衝突を回避することが可能である。
【０２２０】
そして、このガイドレバー１１９は、駆動レバー５２が各図中矢印Ｘ１方向又は矢印Ｘ２方向の前後方向にスライドされると、ガイドピン１１９ｂがカム部１２１の上面部をスライドすることによって、ディスク挿脱口１９から挿入された小径の光ディスク２Ｂを高さ方向に規制するガイド位置と、ターンテーブル２３ａに装着された小径の光ディスク２Ｂの下面から離間する退避位置との間で昇降動作される。
【０２２１】
したがって、このディスクドライブ装置１では、筐体３のディスク挿脱口１９から小径の光ディスク２Ｂを挿入した際に、第４の回動アーム４９の先端部近傍に位置する第２のガイドレバーがディスク挿脱口１９から挿入された小径の光ディスク２Ｂを第４の回動アーム４９の第４の当接部材５０と当接可能な高さに規制しながら、筐体３の内部へと案内することによって、その後の小径の光ディスク２Ｂのローディング動作を適切且つ確実に行うことが可能である。
【０２２２】
なお、上述した挿入ガイドレバー１１０は、第２の回動アーム３６の先端部近傍に位置しており、ディスク挿脱口１９から挿入された光ディスク２を第２の回動アーム３６の第２の前面側当接部材と当接可能な高さに規制しながら筐体３の内部へと案内するガイドレバー１１９と同様の機能も有している。
【０２２３】
ところで、上述したディスクドライブ装置１では、図７２に示すように、ディスク搬送機構３４による光ディスク２のローディング動作が完了するまで、光ピックアップ２５を移動方向の最外周部に位置させるとともに、記録再生時に光ピックアップ２５が光ディスク２の内周側のリードイン領域にアクセスするように、ピックアップ送り機構２６が光ピックアップ２５を半径方向の内周側へと移動させる。
【０２２４】
ここで、大径の光ディスク２Ａと小径の光ディスク２Ｂとのうち、小径の光ディスク２Ｂがターンテーブル２３ａに装着された状態において、ピックアップ送り機構２６が光ピックアップ２５を小径の光ディスク２Ｂの外側と内側との間で移動させるときには、この光ピックアップ２５に搭載された対物レンズ２５ａが第１の回動アーム３５の第１の前面側当接部材３８に接触してしまう虞がある。
【０２２５】
そこで、本発明に係るディスクドライブ装置１では、この光ピックアップ２５に搭載された対物レンズ２５ａの軌道上にある第１の回動アーム３５の第１の前面側当接部材３８と対物レンズ２５ａとの接触を回避するために、ピックアップ送り機構２６が光学ピックアップ２５を小径の光ディスク２Ｂの外周側と内周側との間で移動させる際に、対物レンズ駆動機構が対物レンズ２５ａを第１の前面側当接部材３８との接触を回避する位置まで退避（下降）させる駆動制御を行っている。
【０２２６】
このディスクドライブ装置１は、図７３に示すように、光ディスク２が筐体３内の記録再生位置に挿入されたことを検出するディスク検出スイッチ２０１を備え、このディスク検出スイッチ２０１が光ディスク２が装置１内に挿入されたことを検出すると、この検出信号が制御回路部２０２に供給される。制御回路部２０２は、光ディスク２の挿入されたことが検出されると、光ピックアップ２５の対物レンズ２５ａを光軸と平行なフォーカス方向及び光軸に直交する平面方向のトラッキング方向に駆動変位する２軸アクチュエータ２０３を駆動し、図７４に示すように、対物レンズ２５ａをターンテーブル２３ａに装着された光ディスク２の信号記録面から離間する方向に退避（下降）させる。すなわち、対物レンズ２５ａを図７４中Ａに示す位置からＢに示す位置に移動させる。
【０２２７】
ここで、対物レンズ２５ａの退避は、２軸アクチュエータ２０３のボイスコイルモータに駆動電流を供給することで少なくとも第１の前面側当接部材３８との接触を回避する高さｈ、具体的には、ピックアップベース２９の主面よりも下、又は光ディスク２の信号記録面から最も遠ざかる位置まで下降させる。
【０２２８】
次に、制御回路部２０２は、ピックアップ送り機構２６を制御して、対物レンズ２５ａが光ディスク２の信号記録面から離間する方向に退避した状態を維持したまま、光ピックアップ２５を光ディスク２の内周側のリードイン領域にアクセスするように、光ディスク２の半径方向の外方の最外周側から内周側へと移動させる。すなわち、光ピックアップ２５は、図７４中Ｂに示す位置からＤに示す位置に移動される。このとき、対物レンズ２ａが光ディスク２の信号記録面から離間した図７４中Ｃに示す位置に退避していることから、対物レンズ２５ａと第１の前面側当接部材３８との接触を回避することができる。
【０２２９】
次に、光学ピックアップ２５が光ディスク２の内周側のリードイン領域に移動すると、制御回路部２０２は、２軸アクチュエータ２０３を制御し、対物レンズ２５ａを図７４中Ｄに示す位置から図７４中Ｅに示す退避前の位置まで上昇させる。具体的には、２軸アクチュエータ２０３のボイスコイルモータへの駆動電流の供給を遮断することで、対物レンズ２５ａが再び退避前の位置へと戻る。
【０２３０】
次に、制御回路部２０２は、モータ駆動部２０４を制御し、スピンドルモータ２４ａを駆動し、ターンテーブル２３ａに装着された光ディスク２を回転駆動し、更に、光ピックアップ２５が光ディスク２に対する初期アクセスを行うように制御する。具体的には、２軸アクチュエータ２０３が対物レンズ２５ａを駆動変位しながらフォーカスサーボ及びトラッキングサーボがかかると、リードイン領域に記録されているＴＯＣ(Table Of Contents)データの読み出しを行う。その後、信号を記録する場合にあっては、読み出したＴＯＣデータに基づいて、光ディスク２のプログラム領域内の所定アドレスに、光ピックアップ２５が移動し、信号の再生時にあっては、指定されたデータが記録されたプログラム領域内のアドレスに光ピックアップ２５が移動する（図７４中Ｅ〜Ｆの位置）。
【０２３１】
ところで、通常、ターンテーブル２３ａに装着された光ディスク２が大径の光ディスク２Ａか小径の光ディスク２Ｂかの判別は、スピンドルモータ２４が光ディスク２を回転して、その駆動電流が得られるまでわからない。このため、上述したディスク搬送機構３４にディスク判別のための特別なスイッチを取り付けない限りはディスク挿脱口１９から挿入される光ディスク２の大小に関わらず、上述した対物レンズ２５ａを退避させる光学ピックアップ２５の初期アクセス動作を行うことが望ましい。
【０２３２】
一方、本発明に係るディスクドライブ装置１では、光ディスク２のイジェクト操作を行う前に、上述した手順とはほぼ逆の手順で、対物レンズ２５ａを第１の前面側当接部材３８との接触を回避する位置まで退避（下降）させてから、光ピックアップ２５を半径方向の外側へと移動させる駆動制御を行っている。
【０２３３】
具体的には、まず、上述したフロントパネル１８に設けられたイジェクトボタン２１が押圧され、又はパーソナルコンピュータ１０００からディスクドライブ装置１に対してイジェクト指令信号が入力されると、この指令信号に基づいて、対物レンズ駆動機構を構成する２軸アクチュエータ２０３が対物レンズ２５ａをターンテーブル２３ａに装着された光ディスク２の信号記録面から離間する方向に退避（下降）させる図７４中Ｅに示す位置からＤに示す位置に移動させる。２軸アクチュエータ２０３のボイスコイルモータに駆動電流を供給することで対物レンズ２５ａを、少なくとも第１の前面側当接部材３８との接触を回避する高さｈ、具体的には、ピックアップベース２９の主面よりも下、又は光ディスク２の信号記録面から最も遠ざかる位置まで下降させる。
【０２３４】
次に、この対物レンズ２５ａが光ディスク２の信号記録面から離間する方向に退避した状態を維持したまま、ピックアップ送り機構２６が光学ピックアップ２５を外周側へと移動させる図７４中Ｄに示す位置からＢに示す位置に移動させる。このとき、対物レンズ２ａが光ディスク２の信号記録面から離間する方向の図７４中Ｃに示す位置に退避していることから、小径の光ディスク２Ｂが挿入された場合に、対物レンズ２５ａと第１の前面側当接部材３８との接触を回避することができる。
【０２３５】
次に、光ピックアップ２５が最外周部まで移動した時点で、制御回路部２０２が対物レンズ駆動機構の２軸アクチュエータ２０３を駆動制御し、対物レンズ２５ａを図７４中Ｂに示す位置からＡに示す位置まで上昇させる。具体的には、２軸アクチュエータ２０３のボイスコイルモータへの駆動電流の供給を遮断することで、対物レンズ２５ａが再び退避前の位置へと戻る。その後、ディスク搬送機構３４による光ディスク２のイジェクト動作が行われる。
【０２３６】
なお、光ディスク２の排出時には、ターンテーブル２３ａに装着された光ディスク２が大径の光ディスク２Ａか小径の光ディスク２Ｂかの識別が既についているため、上述した対物レンズ２５ａを退避させる動作は、小径の光ディスク２Ｂを排出する場合のみ適用すればよく、場合によっては、大径の光ディスク２Ａを排出する際に、このような対物レンズ２５ａを退避させる動作を行わなくてもよい。
【０２３７】
また、上述した対物レンズ２５ａを退避させる動作は、光ピックアップ２５の移動前に行うだけでなく、光ピックアップ２５を小径の光ディスク２Ｂの外側と内側との間で移動させる間に行ってもよい。
【０２３８】
以上のように、本発明に係るディスクドライブ装置１では、外径の異なる大径の光ディスク２Ａと小径の光ディスク２Ｂとのうち、小径の光ディスク２Ｂがターンテーブル２３Ａに装着された状態において、ピックアップ送り機構２６が光ピックアップ２５を小径の光ディスク２Ｂの外側と内側との間で移動させるときに、対物レンズ２５ａを小径の光ディスク２Ｂの信号記録面から離間する方向に退避させることで、対物レンズ２５が第１の前面側当接部材３８といった部品に接触して損傷してしまうのを防ぐことができる。
【産業上の利用可能性】
【０２３９】
なお、本発明は、上述したノート型のパーソナルコンピュータに搭載されるスロットイン方式を採用したディスクドライブ装置に限られるものではなく、光ディスクに対して情報信号の記録及び／又は再生を行うディスクドライブ装置に広く適用可能である。
【図面の簡単な説明】
【０２４０】
【図１】本発明に係るディスクドライブ装置が搭載されたノート型のパーソナルコンピュータの外観を示す斜視図である。
【図２】ディスクドライブ装置の外観を示す斜視図である。
【図３】トップカバーを内面側から見た斜視図である。
【図４】本発明に係るディスクドライブ装置を示す平面図である。
【図５】本発明に係るディスクドライブ装置を構成するベースユニットを示す斜視図である。
【図６】ディスクドライブ装置の初期状態を示す平面図である。
【図７】ディスクドライブ装置に大径の光ディスクが挿入開始される状態を示す平面図である。
【図８】ディスクドライブ装置に大径の光ディスクが引き込まれる引き込み開始状態を示す平面図である。
【図９】ディスクドライブ装置に大径の光ディスクが引き込み操作されるときに引き渡し状態を示す平面図である。
【図１０】ディスクドライブ装置に大径の光ディスクがターンテーブルに対しセンタリングされた状態を示す平面図である。
【図１１】大径の光ディスクがターンテーブルにチャッキングされた状態を示す平面図である。
【図１２】大径の光ディスクがチャッキング解除された状態を示す平面図である。
【図１３】大径の光ディスクをイジェクトする状態を示す平面図である。
【図１４】大径の光ディスクをイジェクトする際の引き渡し状態を示す平面図である。
【図１５】大径の光ディスクをイジェクトした状態を示す平面図である。
【図１６】ディスクドライブ装置に小径の光ディスクが挿入開始される状態を示す平面図である。
【図１７】ディスクドライブ装置に小径の光ディスクが引き込まれる状態を示す平面図である。
【図１８】ディスクドライブ装置に小径の光ディスクが引き込まれときの引き渡し状態を示す平面図である。
【図１９】ディスクドライブ装置に小径の光ディスクがターンテーブルに対しセンタリングされた状態を示す平面図である。
【図２０】小径の光ディスクがターンテーブルにチャッキングされた状態を示す平面図である。
【図２１】小径の光ディスクがチャッキング解除された状態を示す平面図である。
【図２２】小径の光ディスクをイジェクトする状態を示す平面図である。
【図２３】小径の光ディスクをイジェクトする際の引き渡し状態を示す平面図である。
【図２４】小径の光ディスクをイジェクトした状態を示す平面図である。
【図２５】小径の光ディスクをイジェクトする状態を示す平面図である。
【図２６】ベースユニットがチャッキング解除位置にある状態を示す側面図である。
【図２７】ベースユニットがチャッキング位置にある状態を示す側面図である。
【図２８】ベースユニットが中間位置にある状態を示す側面図である。
【図２９】大径の光ディスク及び小径の光ディスクがターンテーブルに対しセンタリングされる状態を示す平面図である。
【図３０】ディスクドライブ装置の他の例を示す平面図である。
【図３１】図３０に示すディスクドライブ装置に挿入された大径の光ディスク及び小径の光ディスクがターンテーブルに対しセンタリングされる状態を示す平面図である。
【図３２】ディスクドライブ装置の更に他の例を示す平面図である。
【図３３】ディスクドライブ装置のトップカバーを取り外した状態を示す平面図である。
【図３４】ディスクドライブ装置の一部の部品を取り外した状態を示す平面図である。
【図３５】ディスクドライブ装置の更に一部の部品を取り外した状態を示す平面図である。
【図３６】ディスクドライブ装置の駆動レバーと検出スイッチとの位置関係を示す平面図である。
【図３７】駆動レバーを示し、（ａ）は一方側から見た側面図であり、（ｂ）は駆動レバーを上方側から見た平面図であり、（ｃ）は駆動レバーを他方側から見た側面図であり、（ｄ）は駆動レバーを下方側から見た平面図である。
【図３８】カムレバーを示し、（ａ）はその平面図であり、（ｂ）はその側面図である。
【図３９】ローディング動作時の駆動レバー示し、（ａ）は下方側から見た平面図であり、（ｂ）はその平面図である。
【図４０】イジェクト動作時の駆動レバーを示し、（ａ）は下方側から見た平面図であり、（ｂ）はその平面図である。
【図４１】大径の光ディスクがディスクドライブ装置に挿入される状態を示す平面図である。
【図４２】大径の光ディスクがディスクドライブ装置にローディングされる状態を示す平面図である。
【図４３】大径の光ディスクがセンタリングされて挿入された状態を示す平面図である。
【図４４】大径の光ディスクがターンテーブルにチャッキングされた状態を示す平面図である。
【図４５】大径の光ディスクに対し情報信号の記録再生を行う状態を示す平面図である。
【図４６】大径の光ディスクをディスクドライブ装置からイジェクトする状態を示す平面図である。
【図４７】大径の光ディスクをディスクドライブ装置からイジェクトさせた状態を示す平面図である。
【図４８】小径の光ディスクがディスクドライブ装置に挿入される状態を示す平面図である。
【図４９】小径の光ディスクがディスクドライブ装置にローディングされる状態を示す平面図である。
【図５０】小径の光ディスクがセンタリングされて挿入された状態を示す平面図である。
【図５１】小径の光ディスクがターンテーブルにチャッキングされた状態を示す平面図である。
【図５２】小径の光ディスクに対し情報信号の記録再生を行う状態を示す平面図である。
【図５３】小径の光ディスクをディスクドライブ装置からイジェクトする状態を示す平面図である。
【図５４】大径の光ディスクをディスクドライブ装置からイジェクトさせた状態を示す平面図である。
【図５５】小径の光ディスクがディスクドライブ装置の片側に寄って挿入された状態を示す平面図である。
【図５６】イジェクト時の第３の回動アームの動作状態を動作順に示す示す平面図である。
【図５７】押圧レバーと駆動レバーとの係合状態を示す要部平面図である。
【図５８】ベース昇降機構の動作を示し、（ａ）はベースユニットがチャッキング解除位置にある状態を示す平面図であり、（ｂ）はそのチャッキング解除位置におけるベースの第２の支軸とカム片の第２のカム溝との位置関係を示す側面図であり、（ｃ）はそのチャッキング解除位置におけるベースの第１の支軸と駆動レバーの第１のカム溝との位置関係を示す側面図であり、（ｄ）はそのチャッキング解除位置におけるベースユニットの位置を示す側面図である。
【図５９】ベース昇降機構の動作を示し、（ａ）はベースユニットがチャッキング位置にある状態を示す平面図であり、（ｂ）はそのチャッキング位置におけるベースの第２の支軸とカム片の第２のカム溝との位置関係を示す側面図であり、（ｃ）はそのチャッキング位置におけるベースの第１の支軸と駆動レバーの第１のカム溝との位置関係を示す側面図であり、（ｄ）はそのチャッキング位置におけるベースユニットの位置を示す側面図である。
【図６０】ベース昇降機構の動作を示し、（ａ）はベースユニットが中間位置にある状態を示す平面図であり、（ｂ）はその中間位置におけるベースの第２の支軸とカム片の第２のカム溝との位置関係を示す側面図であり、（ｃ）はその中間位置におけるベースの第１の支軸と駆動レバーの第１のカム溝との位置関係を示す側面図であり、（ｄ）はその中間位置におけるベースユニットの位置を示す側面図である。
【図６１】ディスクドライブ装置に光ディスクが挿入された状態において、初期動作時における第１のスイッチ、第２のスイッチ、第３のスイッチ及び第４のスイッチの切替状態を示すタイミングチャートである。
【図６２】ディスクドライブ装置に光ディスクの挿入がな状態における初期動作時における第１のスイッチ、第２のスイッチ、第３のスイッチ及び第４のスイッチの切替状態を示すタイミングチャートである。
【図６３】ディスクドライブ装置に光ディスクをローディングするときの第１のスイッチ、第２のスイッチ、第３のスイッチ及び第４のスイッチの切替状態を示すタイミングチャートである。
【図６４】ディスクドライブ装置に装着された大径の光ディスクをイジェクトする際の第１のスイッチ、第２のスイッチ、第３のスイッチ及び第４のスイッチの切替状態を示すタイミングチャートである。
【図６５】ディスクドライブ装置に装着された小径の光ディスクをイジェクトする際の第１のスイッチ、第２のスイッチ、第３のスイッチ及び第４のスイッチの切替状態を示すタイミングチャートである。
【図６６】第１のディスクガイド機構、第２のディスクガイド機構及びシャッタ開閉機構と小径の光ディスクとの位置関係を示す平面図である。
【図６７】第１のディスクガイド機構、第２のディスクガイド機構及びシャッタ開閉機構と大径の光ディスク及び小径の光ディスクとの位置関係を示す平面図である。
【図６８】第１のディスクガイド機構を示す要部図である。
【図６９】シャッタ開閉機構を示す要部正面図である。
【図７０】第１のディスクガイド機構及びシャッタ開閉機構の動作を示す断面図であって、（ａ）はベースユニットがチャッキング解除位置にある状態を示す断面図であり、（ｂ）はベースユニットが記録再生位置にある状態を示す断面図である。
【図７１】第２のディスクガイド機構の動作を示す断面図であり、（ａ）はベースユニットがチャッキング解除位置にある状態を示す断面図であり、（ｂ）はベースユニットが記録再生位置にある状態を示す断面図である。
【図７２】小径の光ディスクの外周側の更に外側と内周側との間で移動される光ピックアップを示す平面図である。
【図７３】光ピックアップの対物レンズを光ディスクに対し近接離間させる制御部を備えたディスクドライブ装置のブロック図である。
【図７４】対物レンズ駆動機構による対物レンズの駆動制御の状態を示す側面図である。
【符号の説明】
【０２４１】
１  ディスクドライブ装置、  ２  光ディスク、  ３  筐体、  ４  ボトムケース、  ５  トップカバー、  ８  ガイド部材、  ９  ガイド溝、  １０  窓部、  １１  シャーシ、  １９  ディスク挿脱口、  ２２  ベースユニット、  ２３  ディスク装着部、  ２３ａ  ターンテーブル、  ２４  ディスク回転駆動機構、  ２５  光ピックアップ、  ２６  ピックアップ送り機構、２７  ベース、  ２８  チャッキング機構、  ３４  ディスク搬送機構、  ３５  第１の回動アーム、  ３６  第２の回動アーム、  ３８  第１の前面側当接部材、  ３９  第１の背面側当接部材、  ４０  第２の前面側当接部材、  ４１  連動機構、  ４６  第３の回動アーム、  ４８  第３の当接部材、  ４９  第４の回動アーム、  ５０  第４の当接部材、  ５２  駆動レバー、  ５５  ベース昇降機構、  ５６  カムレバー、  ６６  押上ピン、  ７１  第５の回動部材、  ７２  第５の当接部材、  ８１  連結機構、  １０１  ラック部材、  １０８  第１のディスクガイド機構、  １０９  シャッタ開閉機構、  １１０  挿入ガイドレバー、  １１７  シャッタ部材、  １１８  第２のディスクガイド機構、  １１９  ガイド部材
【図１】
2006018993.tif 000003
【図２】
2006018993.tif 000004
【図３】
2006018993.tif 000005
【図４】
2006018993.tif 000006
【図５】
2006018993.tif 000007
【図６】
2006018993.tif 000008
【図７】
2006018993.tif 000009
【図８】
2006018993.tif 000010
【図９】
2006018993.tif 000011
【図１０】
2006018993.tif 000012
【図１１】
2006018993.tif 000013
【図１２】
2006018993.tif 000014
【図１３】
2006018993.tif 000015
【図１４】
2006018993.tif 000016
【図１５】
2006018993.tif 000017
【図１６】
2006018993.tif 000018
【図１７】
2006018993.tif 000019
【図１８】
2006018993.tif 000020
【図１９】
2006018993.tif 000021
【図２０】
2006018993.tif 000022
【図２１】
2006018993.tif 000023
【図２２】
2006018993.tif 000024
【図２３】
2006018993.tif 000025
【図２４】
2006018993.tif 000026
【図２５】
2006018993.tif 000027
【図２６】
2006018993.tif 000028
【図２７】
2006018993.tif 000029
【図２８】
2006018993.tif 000030
【図２９】
2006018993.tif 000031
【図３０】
2006018993.tif 000032
【図３１】
2006018993.tif 000033
【図３２】
2006018993.tif 000034
【図３３】
2006018993.tif 000035
【図３４】
2006018993.tif 000036
【図３５】
2006018993.tif 000037
【図３６】
2006018993.tif 000038
【図３７】
2006018993.tif 000039
【図３８】
2006018993.tif 000040
【図３９】
2006018993.tif 000041
【図４０】
2006018993.tif 000042
【図４１】
2006018993.tif 000043
【図４２】
2006018993.tif 000044
【図４３】
2006018993.tif 000045
【図４４】
2006018993.tif 000046
【図４５】
2006018993.tif 000047
【図４６】
2006018993.tif 000048
【図４７】
2006018993.tif 000049
【図４８】
2006018993.tif 000050
【図４９】
2006018993.tif 000051
【図５０】
2006018993.tif 000052
【図５１】
2006018993.tif 000053
【図５２】
2006018993.tif 000054
【図５３】
2006018993.tif 000055
【図５４】
2006018993.tif 000056
【図５５】
2006018993.tif 000057
【図５６】
2006018993.tif 000058
【図５７】
2006018993.tif 000059
【図５８】
2006018993.tif 000060
【図５９】
2006018993.tif 000061
【図６０】
2006018993.tif 000062
【図６１】
2006018993.tif 000063
【図６２】
2006018993.tif 000064
【図６３】
2006018993.tif 000065
【図６４】
2006018993.tif 000066
【図６５】
2006018993.tif 000067
【図６６】
2006018993.tif 000068
【図６７】
2006018993.tif 000069
【図６８】
2006018993.tif 000070
【図６９】
2006018993.tif 000071
【図７０】
2006018993.tif 000072
【図７１】
2006018993.tif 000073
【図７２】
2006018993.tif 000074
【図７３】
2006018993.tif 000075
【図７４】
2006018993.tif 000076